(57)【要約】  ＮＲ（Ｎｅｗ  Ｒａｄｉｏアクセス技術）における物理アップリンクリソース内のアップリンク制御情報マッピングに関係する、ユーザ機器、基地局およびワイヤレス通信方法が提供される。ユーザ機器は、物理アップリンク共有チャネル（ＰＵＳＣＨ）の物理リソースブロック（ＰＲＢ）において、アップリンク制御情報（ＵＣＩ）を１つまたは複数の利用可能なリソースエレメントに、時間領域、周波数領域および空間領域のうちの１つまたは複数における、それらのリソースエレメントと、参照信号がマッピングされるリソースエレメントとの間の距離に従ってマッピングするように動作可能な回路と、ＰＲＢ上のＰＵＳＣＨ内のＵＣＩおよび参照信号を基地局に送信するように動作可能な送信機とを備える。【選択図】  図３
2020529755.tif 000002
【特許請求の範囲】
【請求項１】
物理アップリンク共有チャネル（ＰＵＳＣＨ）の物理リソースブロック（ＰＲＢ）において、アップリンク制御情報（ＵＣＩ）を１つまたは複数の利用可能なリソースエレメントに、時間領域、周波数領域および空間領域のうちの１つまたは複数における、前記リソースエレメントと、参照信号がマッピングされるリソースエレメントとの間の距離に従ってマッピングするように動作可能である回路と、
前記ＰＲＢ上のＰＵＳＣＨ内の前記ＵＣＩおよび前記参照信号を基地局に送信するように動作可能である送信機と、
を備えるユーザ機器。
【請求項２】
前記回路は、時間領域、周波数領域および空間領域のうちの１つまたは複数において、参照信号がマッピングされるリソースエレメントとの距離が最短である１つまたは複数の利用可能なリソースエレメントに、ＵＣＩをマッピングするようにさらに動作可能である、
請求項１に記載のユーザ機器。
【請求項３】
前記参照信号は、復調参照信号（ＤＭＲＳ）および位相追跡参照信号（ＰＴ−ＲＳ）を含み、ＵＣＩは、複数レイヤ送信の場合は、ＰＴ−ＲＳを送信するレイヤにおいてのみマッピングされる、
請求項１に記載のユーザ機器。
【請求項４】
ＵＣＩはＰＴ−ＲＳを有するＰＲＢ内でのみマッピングされる、
請求項３に記載のユーザ機器。
【請求項５】
サイクリックプレフィックス直交分割周波数多重化（ＣＰ−ＯＦＤＭ）、または、ＰＴ−ＲＳがプレＤＦＴである離散フーリエ変換拡散直交分割周波数多重化（ＤＦＴ−Ｓ−ＯＦＤＭ）がＰＵＳＣＨにおいて利用される、
請求項３または４に記載のユーザ機器。
【請求項６】
前記参照信号は復調参照信号（ＤＭＲＳ）を含み、ＵＣＩは、ＤＭＲＳと同じサブキャリアにマッピングされる、
請求項１に記載のユーザ機器。
【請求項７】
ＵＣＩのマッピングは、前記参照信号のパターンによって変化する、
請求項１に記載のユーザ機器。
【請求項８】
ＵＣＩは複数のタイプのＵＣＩを含み、前記複数のタイプのＵＣＩにそれぞれ優先度が割り当てられ、
あるタイプのＵＣＩに割り当てられる前記優先度が高いほど、前記タイプのＵＣＩがマッピングされる、前記１つまたは複数の利用可能なリソースエレメントと、参照信号がマッピングされるリソースエレメントとの間の距離が短くなる、
請求項１に記載のユーザ機器。
【請求項９】
前記複数のタイプのＵＣＩのすべてが同じサブキャリアにマッピングされ、
あるタイプのＵＣＩに割り当てられる前記優先度が高いほど、時間領域における、前記タイプのＵＣＩがマッピングされる、前記１つまたは複数の利用可能なリソースエレメントと、参照信号がマッピングされるリソースエレメントとの間の距離が短くなる、
請求項８に記載のユーザ機器。
【請求項１０】
あるタイプのＵＣＩに割り当てられる前記優先度が高いほど、周波数領域と時間領域の両方における、前記タイプのＵＣＩがマッピングされる、前記１つまたは複数の利用可能なリソースエレメントと、参照信号がマッピングされるリソースエレメントとの間の距離が短くなる、
請求項８に記載のユーザ機器。
【請求項１１】
前記複数のタイプのＵＣＩは、ハイブリッド自動再送要求−送達確認（ＨＡＲＱ−ＡＣＫ）、ランク指標（ＲＩ）、ビーム管理／回復およびチャネル状態情報（ＣＳＩ）を含み、前記複数のタイプのＵＣＩにはそれぞれ、優先順位の降順に優先度が割り当てられる、
請求項８〜１０のいずれか一項に記載のユーザ機器。
【請求項１２】
前記参照信号は、前方の復調参照信号（ＤＭＲＳ）および追加のＤＭＲＳを含み、前記前方のＤＭＲＳに合わせたＵＣＩのマッピングは、前記追加のＤＭＲＳに合わせたＵＣＩのマッピングと同じであるかまたは異なる、
請求項１に記載のユーザ機器。
【請求項１３】
周波数領域において、ＵＣＩは、ＰＵＳＣＨのＰＲＢにわたって均等に分散され、または、ＰＵＳＣＨの前記ＰＲＢの上部および底部に集中化される、
請求項１に記載のユーザ機器。
【請求項１４】
物理アップリンク共有チャネル（ＰＵＳＣＨ）の物理リソースブロック（ＰＲＢ）上のＰＵＳＣＨ内のアップリンク制御情報（ＵＣＩ）および参照信号を、ユーザ機器から受信するように動作可能である受信機と、
時間領域、周波数領域および空間領域のうちの１つまたは複数におけるリソースエレメントと、参照信号がマッピングされているリソースエレメントとの間の距離に従って前記ＵＣＩが前記ＰＲＢにおいて１つまたは複数の利用可能なリソースエレメントにマッピングされていることを示すデマッピング規則に従って、前記ＵＣＩおよび前記参照信号を、前記ＰＲＢ内のそれぞれのリソースエレメントからデマッピングするように動作可能である回路と、
を備える基地局。
【請求項１５】
ユーザ機器のためのワイヤレス通信方法であって、
物理アップリンク共有チャネル（ＰＵＳＣＨ）の物理リソースブロック（ＰＲＢ）において、アップリンク制御情報（ＵＣＩ）を１つまたは複数の利用可能なリソースエレメントに、時間領域、周波数領域および空間領域のうちの１つまたは複数における、前記リソースエレメントと、参照信号がマッピングされるリソースエレメントとの間の距離に従ってマッピングすることと、
前記ＰＲＢ上のＰＵＳＣＨ内の前記ＵＣＩおよび前記参照信号を基地局に送信することと、
を含む方法。
【請求項１６】
基地局のためのワイヤレス通信方法であって、
物理アップリンク共有チャネル（ＰＵＳＣＨ）の物理リソースブロック（ＰＲＢ）上のＰＵＳＣＨ内のアップリンク制御情報（ＵＣＩ）および参照信号を、ユーザ機器から受信することと、
時間領域、周波数領域および空間領域のうちの１つまたは複数における、前記リソースエレメントと、参照信号がマッピングされているリソースエレメントとの間の距離に従って前記ＵＣＩが前記ＰＲＢにおいて１つまたは複数の利用可能なリソースエレメントにマッピングされていることを示すデマッピング規則に従って、前記ＵＣＩおよび前記参照信号を、前記ＰＲＢ内のそれぞれのリソースエレメントからデマッピングすることと、
を含む方法。
【発明の詳細な説明】
【技術分野】
【０００１】
本開示は、ワイヤレス通信の分野に関し、より詳細には、ＮＲ（Ｎｅｗ  Ｒａｄｉｏアクセス技術）における物理アップリンクリソース内のアップリンク制御情報マッピングに関係する、ユーザ機器（ＵＥ：Ｕｓｅｒ  Ｅｑｕｉｐｍｅｎｔ）、基地局（ｅＮｏｄｅＢ）およびワイヤレス通信方法に関する。
【背景技術】
【０００２】
よく知られているように、アップリンク制御情報（ＵＣＩ）は、チャネル状態情報（ＣＳＩ）、ハイブリッド自動再送要求−送達確認（ＨＡＲＱ−ＡＣＫ）またはランク指標（ＲＩ）であり得る。Ｌｏｎｇ  Ｔｅｒｍ  Ｅｖｏｌｕｔｉｏｎ（ＬＴＥ）のアップリンクにおいて、ＵＣＩは、物理アップリンク制御チャネル（ＰＵＣＣＨ）または物理アップリンク共有チャネル（ＰＵＳＣＨ）において送信（マッピング）することができる。例えば、図１は、ＬＴＥでのＰＵＳＣＨにおけるＵＣＩマッピングの例示的なシナリオを概略的に示している。
【０００３】
具体的には、図１には、物理リソースブロック（ＰＲＢ：Ｐｈｙｓｉｃａｌ  Ｒｅｓｏｕｒｃｅ  Ｂｌｏｃｋ）１０の構造が示されている。ＰＲＢ１０の横軸（Ｔ）は時間（直交周波数分割多重化（ＯＦＤＭ）シンボル）を表し、その垂直軸（Ｆ）は、周波数帯域（サブキャリア）の幅を表す。ＰＲＢ１０について、横軸は１４のセクションに分割され、それらの各々が、垂直軸方向におけるＯＦＤＭシンボルを形成する。垂直軸は１２のセクションに分割され、それらの各々が、横軸方向におけるサブキャリアを形成する。ＰＲＢ１０内の各小ブロックは、リソースエレメント（ＲＥ）を表し、ＰＲＢ１０の１２×１４個のすべてのＲＥが、横軸方向に沿ったスロット１およびスロット２を含む、１ｍｓのサブフレームを形成する。
【０００４】
図１に示すＰＲＢ１０の構造は、本開示の説明を簡便にするための一例に過ぎず、本開示はこれに限定されないことに留意されたい。代替的に、ＰＲＢはまた、別の例においては１２×７個のＲＥを含んでもよく、または、特定の要件に応じて任意の他の適切な構造を有してもよい。
【０００５】
図１に示すように、復調参照信号（ＤＭＲＳ）を送信するために２列のＲＥが使用されている。左斜めの線で埋められたＲＥによって示すように、同じサブフレーム内の２つのスロットの各々の４つのＯＦＤＭシンボルが、ＤＭＲＳを送信するために使用される。基本的に、ＬＴＥでは、割り当てられているＰＵＳＣＨのエッジには異なるタイプのＵＣＩが割り当てられる。図１に示すように、ＣＳＩは右斜めの線で埋められたＲＥによって示すように、ＰＲＢ１０の上部において送信される。一方で、ＨＡＲＱ−ＡＣＫおよびＲＩは、それぞれ垂直の線および水平の線で埋められたＲＥによって示すように、ＰＲＢ１０の底部において送信される。ＰＲＢ１０の残りの部分は、ブランクのＲＥによって示すように、データ部分を送信するために使用される。
【０００６】
加えて、優先度に基づいて、ＨＡＲＱ−ＡＣＫは、ＤＭＲＳがマッピングされるＲＥに隣接するＲＥ上で送信され、一方で、ＲＩは、ＨＡＲＱ−ＡＣＫに隣接し、ＤＭＲＳから少し離れている。加えて、ＰＵＳＣＨは、ＣＳＩ  ＲＥおよびＲＩ  ＲＥに合わせてレートマッチングされるが、ＨＡＲＱ−ＡＣＫ  ＲＥはパンクチャリングされる。そのため、ＣＳＩ／ＲＩとＨＡＲＱ−ＡＣＫとの間で、取り扱いが異なる。
【０００７】
ＬＴＥでは、ＤＭＲＳパターンが固定されているため、ＵＣＩのマッピングが固定される。ＮＲ／５Ｇにおいては、ＰＵＳＣＨにおけるＵＣＩマッピングは依然として協議中である。
【発明の概要】
【発明が解決しようとする課題】
【０００８】
１つの非限定的で例示的な実施形態は、ＲＳ衝突を回避し、チャネル性能を改善するために、ＮＲにおけるＰＵＳＣＨ内のＵＣＩのマッピングを容易にする。
【課題を解決するための手段】
【０００９】
本開示の第１の一般的な態様では、物理アップリンク共有チャネル（ＰＵＳＣＨ）の物理リソースブロック（ＰＲＢ）において、アップリンク制御情報（ＵＣＩ）を１つまたは複数の利用可能なリソースエレメントに、時間領域、周波数領域および空間領域のうちの１つまたは複数における、それらのリソースエレメントと、参照信号がマッピングされているリソースエレメントとの間の距離に従ってマッピングするように動作可能な回路と、ＰＲＢ上のＰＵＳＣＨ内のＵＣＩおよび参照信号を基地局に送信するように動作可能な送信機とを備える、ユーザ機器が提供される。
【００１０】
本開示の第２の態様では、物理アップリンク共有チャネル（ＰＵＳＣＨ）内のアップリンク制御情報（ＵＣＩ）および参照信号を、ＰＵＳＣＨの物理リソースブロック（ＰＲＢ）上で、ユーザ機器から受信するように動作可能な受信機と、時間領域、周波数領域および空間領域のうちの１つまたは複数における、それらのリソースエレメントと、参照信号がマッピングされているリソースエレメントとの間の距離に従ってＵＣＩがＰＲＢにおいて１つまたは複数の利用可能なリソースエレメントにマッピングされていることを示すデマッピング規則に従って、ＵＣＩおよび参照信号を、ＰＲＢ内のそれぞれのリソースエレメントからデマッピングするように動作可能な回路とを備える、基地局が提供される。
【００１１】
本開示の第３の一般的な態様では、ユーザ機器のためのワイヤレス通信方法であって、物理アップリンク共有チャネル（ＰＵＳＣＨ）の物理リソースブロック（ＰＲＢ）において、アップリンク制御情報（ＵＣＩ）を１つまたは複数の利用可能なリソースエレメントに、時間領域、周波数領域および空間領域のうちの１つまたは複数における、それらのリソースエレメントと、参照信号がマッピングされているリソースエレメントとの間の距離に従ってマッピングすることと、ＰＲＢ上のＰＵＳＣＨ内のＵＣＩおよび参照信号を基地局に送信することとを含む、方法が提供される。
【００１２】
本開示の第４の態様では、基地局のためのワイヤレス通信方法であって、物理アップリンク共有チャネル（ＰＵＳＣＨ）内のアップリンク制御情報（ＵＣＩ）および参照信号を、ＰＵＳＣＨの物理リソースブロック（ＰＲＢ）上で、ユーザ機器から受信することと、時間領域、周波数領域および空間領域のうちの１つまたは複数における、それらのリソースエレメントと、参照信号がマッピングされているリソースエレメントとの間の距離に従ってＵＣＩがＰＲＢにおいて１つまたは複数の利用可能なリソースエレメントにマッピングされていることを示すデマッピング規則に従って、ＵＣＩおよび参照信号を、ＰＲＢ内のそれぞれのリソースエレメントからデマッピングすることとを含む、方法が提供される。
【００１３】
一般的なまたは特定の実施形態は、システム、方法、集積回路、コンピュータプログラム、記憶媒体、またはそれらの任意の選択的な組合せとして実施することができることに留意されたい。
【００１４】
開示されている実施形態の追加の恩恵および利点が、本明細書および図面から明らかとなろう。恩恵および／または利点は、本明細書および図面の様々な実施形態および特徴によって個々に得ることができ、そのような恩恵および／または利点の１つまたは複数を得るためにすべてが与えられる必要はない。
【００１５】
本開示の上記のおよび他の特徴は、添付の図面とともに取り上げられる以下の詳細な説明および添付の特許請求項の範囲からより十分に明らかとなる。これらの図面は本開示によるいくつかの実施形態を示しているに過ぎず、それゆえ、その範囲の限定であると考えられるべきではないことを理解した上で、本開示を、添付の図面を使用することによって、さらに特定的かつ詳細に説明する。
【図面の簡単な説明】
【００１６】
【図１】ＬＴＥでのＰＵＳＣＨにおけるＵＣＩマッピングの例示的なシナリオの概略図である。
【図２（Ａ）】ＮＲでのＤＭＲＳの２つの可能な構成のうちの１つの概略図である。
【図２（Ｂ）】ＮＲでのＤＭＲＳの２つの可能な構成のうちの１つの概略図である。
【図３】本開示の一実施形態によるユーザ機器の一部分のブロック図である。
【図４（Ａ）】本開示の一実施形態によるＮＲでのＰＵＳＣＨにおけるＵＣＩマッピングのいくつかの例示的なシナリオのうちの１つの概略図である。
【図４（Ｂ）】本開示の一実施形態によるＮＲでのＰＵＳＣＨにおけるＵＣＩマッピングのいくつかの例示的なシナリオのうちの１つの概略図である。
【図４（Ｃ）】本開示の一実施形態によるＮＲでのＰＵＳＣＨにおけるＵＣＩマッピングのいくつかの例示的なシナリオのうちの１つの概略図である。
【図５】本開示の一実施形態によるＮＲでのＰＵＳＣＨにおけるＵＣＩマッピングの例示的なシナリオの概略図である。
【図６】本開示の一実施形態によるＮＲでのＰＵＳＣＨにおける異なるタイプのＵＣＩのマッピングの例示的なシナリオの概略図である。
【図７】本開示の一実施形態によるＮＲでのＰＵＳＣＨにおける異なるタイプのＵＣＩのマッピングの例示的なシナリオの概略図である。
【図８】本開示の一実施形態による、前方ＤＭＲＳおよび追加のＤＭＲＳの場合の、ＮＲでのＰＵＳＣＨにおける異なるタイプのＵＣＩのマッピングの例示的なシナリオの概略図である。
【図９】本開示の一実施形態による、前方ＤＭＲＳおよび追加のＤＭＲＳの場合の、ＮＲでのＰＵＳＣＨにおける異なるタイプのＵＣＩのマッピングの例示的なシナリオの概略図である。
【図１０】本開示の一実施形態による、前方ＤＭＲＳおよび追加のＤＭＲＳの場合の、ＮＲでのＰＵＳＣＨにおける異なるタイプのＵＣＩのマッピングの例示的なシナリオの概略図である。
【図１１】本開示の一実施形態による、ＰＴ−ＲＳが存在する場合の、ＮＲでのＰＵＳＣＨにおけるＵＣＩのマッピングの例示的なシナリオの概略図である。
【図１２】本開示の一実施形態による、ＰＴ−ＲＳが存在する場合の、ＮＲでのＰＵＳＣＨにおけるＵＣＩのマッピングの例示的なシナリオの概略図である。
【図１３】本開示の一実施形態による基地局の一部分のブロック図である。
【図１４】本開示の一実施形態による、ＣＰ−ＯＦＤＭ波形がアップリンク送信に使用されるときのユーザ機器の詳細のブロック図である。
【図１５】本開示の一実施形態による、ＤＦＴ−Ｓ−ＯＦＤＭ波形がアップリンク送信に使用されるときのユーザ機器の詳細のブロック図である。
【図１６】本開示の一実施形態による、ＣＰ−ＯＦＤＭ波形がアップリンク送信に使用されるときの基地局の詳細のブロック図である。
【図１７】本開示の一実施形態による、ＤＦＴ−Ｓ−ＯＦＤＭ波形がアップリンク送信に使用されるときの基地局の詳細のブロック図である。
【図１８】本開示の一実施形態による、基地局と端末との間の通信のフローチャートの一例を概略的に示す図である。
【図１９】本開示の一実施形態によるユーザ機器のためのワイヤレス通信方法のフローチャートである。
【図２０】本開示の一実施形態による基地局のためのワイヤレス通信方法のフローチャートである。
【発明を実施するための形態】
【００１７】
以下の詳細な説明において、本説明の一部を形成する添付の図面を参照する。図面において、文脈が別途指示しない限り、同様の参照符号は一般的に、同様の構成要素を識別する。本開示の態様は、広範な種々の構成において構成、置換、統合、および設計することができ、それらのすべてが明示的に企図されており、本開示の一部分を成すことは容易に理解されよう。
【００１８】
図１を参照して上述したように、ＬＴＥでは、ＤＭＲＳパターンは固定されている。しかしながら、ＮＲでは、合意に基づいて、ＤＭＲＳパターンが変化し得る。図２は、ＮＲでのＤＭＲＳの２つの可能な構成を概略的に示す。
【００１９】
具体的には、図２（Ａ）は、例えば、櫛状の構成の場合に対するＰＲＢ２０Ａを示す。図２（Ａ）に示すように、物理ダウンリンク制御チャネル（ＰＤＣＣＨ）が、交差線で埋められたＲＥによって示すように、ＰＲＢ２０Ａ内の最初の２つのシンボル、すなわち、シンボル０、１にマッピングされる。ＤＭＲＳは、左斜めの線で埋められたＲＥによって示すように、時間領域におけるシンボル２および周波数領域におけるサブキャリア１、３、５、７、９および１１にマッピングされる。ここで、横軸（Ｔ）上のシンボル番号および垂直軸（Ｆ）上のサブキャリア番号は、ＰＲＢ内でＲＥの位置を容易に識別するために示されている。
【００２０】
対照的に、図２（Ｂ）は、例えば、長さ２のＦＤ（周波数領域）ＯＣＣ（直交カバーコード）ベースの構成の場合に対するＰＲＢ２０Ｂを示す。図２（Ｂ）に示すように、ＰＤＣＣＨが、交差線で埋められたＲＥによって示すように、ＰＲＢ２０Ｂ内の最初の２つのシンボル、すなわち、シンボル０、１にマッピングされる。ＤＭＲＳは、左斜めの線で埋められたＲＥによって示すように、時間領域におけるシンボル２および周波数領域における連続するサブキャリア２および３、６および７、ならびに１０および１１にマッピングされる。
【００２１】
図２（Ａ）および図２（Ｂ）の構成は互いに異なるため、そのＤＭＲＳパターンは対応して互いに異なることが分かる。したがって、ＤＭＲＳパターンは、ＮＲでは異なる構成に基づいて変化する場合があり、これがＮＲでのＵＣＩのマッピングに影響を及ぼす。説明を簡便にするために、ＰＤＣＣＨとＰＵＳＣＨとの間の間隙はここでは無視されていることに留意されたい。
【００２２】
現在、ＬＴＥでは、アップリンクの波形は離散フーリエ変換拡散直交分割周波数多重化（ＤＦＴ−Ｓ−ＯＦＤＭ）であり、一方、サイクリックプレフィックス直交分割周波数多重化（ＣＰ−ＯＦＤＭ）がダウンリンクの波形として使用されている。しかしながら、ＮＲでは、これら２つの波形は両方ともアップリンクについてサポートされる。図２に示すような構成の差異に加えて、波形の差異も、ＮＲではＵＣＩのマッピングに影響を及ぼす。ＤＦＴ−Ｓ−ＯＦＤＭおよびＣＰ−ＯＦＤＭの原理は、当該技術分野においてよく知られており、したがって、本明細書においては詳細には説明しない。それらの主な差異は、追加のＤＦＴ動作が存在するか否かである。
【００２３】
加えて、ＮＲでは、位相追跡参照信号（ＰＴ−ＲＳ）が採用され、これはＬＴＥと比較して新規のＲＳである。ＰＴ−ＲＳは、ＮＲではアップリンクとダウンリンクの両方においてサポートされ、共通位相誤差（ＣＰＥ）を補償するために使用される。ＰＴ−ＲＳパターンもまた、構成、および／または、ダウンリンク制御情報（ＤＣＩ）内のいくつかのフィールドによる黙示的な指示に基づいて変化し得る。例えば、ＵＥが２つのレイヤを送信し、レイヤ１がアンテナポート１を介して送信され、レイヤ２がアンテナポート２を介して送信されると仮定する。ＰＴ−ＲＳは、レイヤ１内の特定のＲＥ上でのみ送信され、特定のＲＥに対応するレイヤ２内のＲＥはブランクにされる。さらに、ＰＴ−ＲＳは時間領域（シンボルレベル）において連続的に割り当てられ、すなわち、ＰＴ−ＲＳは同じサブキャリア上で時間領域において連続するいくつかのシンボルにマッピングされる。ＰＴ−ＲＳとの衝突も、ＮＲでのＵＣＩのマッピングで考慮に入れられるべきである。
【００２４】
したがって、基本的な問題は、特にＲＳ衝突およびより良好なチャネル性能を考慮してＮＲでのすべての異なる事例（例えば、波形の差異、ＤＭＲＳおよび／またはＰＴ−ＲＳパターンの差異など）についてＰＵＳＣＨ内でＵＣＩをどのように設計するかである。
【００２５】
本開示の一実施形態において、図３に示すようなユーザ機器が提供される。図３は、本開示の一実施形態によるユーザ機器３００の一部分のブロック図を示す。図３に示すように、ＵＥ３００は、回路３１０および送信機３２０を含むことができる。回路３１０は、物理アップリンク共有チャネル（ＰＵＳＣＨ）の物理リソースブロック（ＰＲＢ）において、アップリンク制御情報（ＵＣＩ）を１つまたは複数の利用可能なリソースエレメントに、時間領域、周波数領域および空間領域のうちの１つまたは複数における、それらのリソースエレメントと、参照信号がマッピングされているリソースエレメントとの間の距離に従ってマッピングするように動作可能である。送信機３２０は、ＰＲＢ上のＰＵＳＣＨ内のＵＣＩおよび参照信号を基地局に送信するように動作可能である。
【００２６】
具体的には、回路３１０は、物理リソース、すなわち、ＰＵＳＣＨのＰＲＢ内のＲＥへのＵＣＩのマッピングを実施する。例えば、ＰＲＢは、図１または図２に示すＰＲＢのようなものである。回路３１０は、ＵＣＩをＲＥに、時間領域におけるこれらのＲＥとＲＳ（例えば、ＤＭＲＳおよび／またはＰＴ−ＲＳ）を送信するためのＲＥとの間の距離に従って、周波数領域におけるこれらのＲＥとＲＳを送信するためのＲＥとの間の距離に従って、空間領域におけるこれらのＲＥとＲＳを送信するためのＲＥとの間の距離に従って、または、それらの任意の組合せにおけるこれらのＲＥとＲＳを送信するためのＲＥとの間の距離に従って、マッピングする。ここで、空間領域は例えば、例として以降に詳細に説明する、複数レイヤ送信の場合に関係する。
【００２７】
回路３１０によるリソースマッピングの後、送信機３２０は、ＰＲＢ上のＰＵＳＣＨ内のＵＣＩおよびＲＳを基地局に送信することができる。
【００２８】
時間領域、周波数領域および空間領域のうちの１つまたは複数における、これらのＲＥと、ＲＳがマッピングされているＲＥとの間の距離に従って、ＵＣＩをＲＥにマッピングすることによって、ＮＲにおいてＲＳ衝突を回避することができ、システム性能を改善することができる。
【００２９】
本開示の一実施形態によれば、回路３１０は、時間領域、周波数領域および空間領域のうちの１つまたは複数において、参照信号がマッピングされているリソースエレメントとの距離が最短である１つまたは複数の利用可能なリソースエレメントに、ＵＣＩをマッピングするようにさらに動作可能である。
【００３０】
具体的には、回路３１０は、時間領域、周波数領域または空間領域において、または、それらの任意の組合せにおいて、ＲＳ（例えば、ＤＭＲＳおよび／またはＰＴ−ＲＳ）を送信するためのＲＥとの距離が最短であるＲＥに、ＵＣＩをマッピングすることができる。その具体例は下記に与える。
【００３１】
本開示の一実施形態によれば、参照信号はＤＭＲＳを含み、ＵＣＩは、回路３１０によって、ＤＭＲＳと同じサブキャリアにマッピングされる。
【００３２】
説明を簡便にするために、図４は、本開示の一実施形態によるＮＲでのＰＵＳＣＨにおけるＵＣＩマッピングのいくつかの例示的なシナリオを概略的に示す。一例として、図４は、ＣＰ−ＯＦＤＭ波形が使用され、ＤＭＲＳパターンが櫛状の構成の図２（Ａ）に示すものと同じである事例に対応する。例えば、図４（Ａ）〜図４（Ｃ）に示すように、ＰＲＢ４０Ａ／４０Ｂ／４０Ｃにおいて、ＰＤＣＣＨが、交差線で埋められたＲＥによって示すように、最初の２つのシンボル、すなわち、シンボル０、１にマッピングされる。ＤＭＲＳは、左斜めの線で埋められたＲＥによって示すように、時間領域におけるシンボル２および周波数領域におけるサブキャリア１、３、５、７、９および１１にマッピングされる。
【００３３】
図４（Ａ）においては、ＵＣＩは、ＤＭＲＳと同じサブキャリアにマッピングされる、すなわち、ＵＣＩは、周波数領域においてサブキャリア１、３、５、７、９および１１にマッピングされる。時間領域において、ＵＣＩは、ＤＭＲＳに隣接する２つのシンボル、すなわち、シンボル３、４にマッピングされる。この事例において、ＵＣＩがマッピングされるＲＥは、右斜めの線で埋められたＲＥによって示すように、時間領域において（シンボルレベルにおいて）ＤＭＲＳがマッピングされているＲＥとの距離が最短である２つのＲＥである。ここで、ＤＭＲＳがマッピングされているＲＥとの最短距離は、時間領域において２つのシンボル内にあるものとして説明することができる。または、距離に関する粒度が、例えば、２シンボルであり得る。
【００３４】
有利には、回路３１０によってＵＣＩをＤＭＲＳと同じサブキャリアにマッピングすることによって、レイテンシを低減することができ、より良好なチャネル性能を達成することができる。
【００３５】
ＵＣＩのマッピングは、図４（Ａ）に示す様式には限定されない。図４（Ｂ）に示すように、ＰＲＢ４０Ｂ内で、ＤＭＲＳがマッピングされる、時間領域におけるシンボル２および周波数領域におけるサブキャリア１１を含むＲＥを一例に挙げると、ＵＣＩは、その隣接する２つのＲＥ、すなわち、右斜めの線で埋められたＲＥによって示すように、時間領域におけるシンボル３および周波数領域におけるサブキャリア１１、ならびに、時間領域におけるシンボル３および周波数領域におけるサブキャリア１０を含むＲＥにマッピングされる。この事例において、ＵＣＩがマッピングされるＲＥは、時間領域と周波数領域の両方において（ＲＥレベルにおいて）ＤＭＲＳがマッピングされているＲＥとの距離が最短である２つのＲＥである。ここで、ＤＭＲＳがマッピングされているＲＥとの最短距離は、１ＲＥ、すなわち、時間領域における１シンボルおよび／または周波数領域における１サブキャリア内にあるものとして説明することができる。または、距離に関する粒度が、例えば、１ＲＥであり得る。
【００３６】
図４（Ｃ）は、ＵＣＩをマッピングする別の様式をさらに示す。図４（Ｂ）に示すように、同じくＰＲＢ４０Ｃ内で、ＤＭＲＳがマッピングされる、時間領域におけるシンボル２および周波数領域におけるサブキャリア１１を含むＲＥを一例に挙げると、ＵＣＩは、その隣接する２つのＲＥ、すなわち、右斜めの線で埋められたＲＥによって示すように、時間領域におけるシンボル２および周波数領域におけるサブキャリア１０、ならびに、時間領域におけるシンボル３および周波数領域におけるサブキャリア１０を含むＲＥにマッピングされる。この事例において、ＵＣＩがマッピングされるＲＥは、時間領域と周波数領域の両方において（ＲＥレベルにおいて）ＤＭＲＳがマッピングされているＲＥとの距離が最短である２つのＲＥである。ここで、ＤＭＲＳがマッピングされているＲＥとの最短距離は、１ＲＥ、すなわち、時間領域における１シンボルおよび／または周波数領域における１サブキャリア内にあるものとして説明することができる。または、距離に関する粒度が、例えば、１ＲＥであり得る。
【００３７】
図４（Ｂ）と図４（Ｃ）の両方が、ＲＥレベルにおけるＲＥと、ＤＭＲＳのためのＲＥとの間の距離に基づいてＵＣＩをＲＥにマッピングしているが、それらの図の間には、図４（Ｂ）が最初に周波数領域のマッピングを考慮している、すなわち、ＵＣＩのための２つのＲＥのうちの１つがＤＭＲＳのためのＲＥと同じサブキャリアに属しているのに対し、図４（Ｃ）は最初に時間領域マッピングを考慮している、すなわち、ＵＣＩのための２つのＲＥのうちの１つがＤＭＲＳのためのＲＥと同じシンボルに属しているという差異がある。一般的に、最初に周波数領域マッピングを考慮することによってレイテンシを低減することができ、したがって、より良好なチャネル性能が達成される。
【００３８】
図４は説明を目的としたものに過ぎず、本開示はこれに限定されないことに留意されたい。上述したように、ＵＣＩのマッピングは、時間領域、周波数領域および空間領域のうちの１つまたは複数におけるＲＳのためのＲＥとの距離に基づく任意の他の適切な様式で行われてもよい。加えて、距離の粒度は、無線リソース制御（ＲＲＣ）シグナリングを介してｇＮＢ（基地局）によって設定されてもよいことに留意されたい。
【００３９】
本開示の一実施形態によれば、回路３１０によるＵＣＩのマッピングは、参照信号のパターンによって変化する。
【００４０】
図５は、本開示の一実施形態によるＮＲでのＰＵＳＣＨにおけるＵＣＩマッピングの例示的なシナリオを概略的に示す。図５は、ＣＰ−ＯＦＤＭ波形が使用され、ＤＭＲＳパターンが長さ２のＦＤ  ＯＣＣベースの構成の図２（Ｂ）に示すものと同じである事例に対応する。例えば、図５に示すように、ＰＲＢ５０において、ＰＤＣＣＨが、交差線で埋められたＲＥによって示すように、最初の２つのシンボル、すなわち、シンボル０、１にマッピングされる。ＤＭＲＳは、左斜めの線で埋められたＲＥによって示すように、時間領域におけるシンボル２および周波数領域における連続するサブキャリア２および３、６および７、ならびに１０および１１にマッピングされる。
【００４１】
図５と図４（Ａ）とを比較すると、ＤＭＲＳパターンが図４（Ａ）から図５へと変化するため、ＵＣＩのマッピングも対応して変化するはずである。具体的には、図５に示すように、ＵＣＩをＤＭＲＳと同じままにするために、ＵＣＩは、周波数領域においてサブキャリア２および３、６および７、ならびに１０および１１にマッピングされる。時間領域において、ＵＣＩは、図４（Ａ）と同じである、ＤＭＲＳに隣接する２つのシンボル、すなわち、シンボル３、４にマッピングされる。この事例において、図４（Ａ）と同様に、ＵＣＩがマッピングされるＲＥは、右斜めの線で埋められたＲＥによって示すように、時間領域において（シンボルレベルにおいて）ＤＭＲＳがマッピングされているＲＥとの距離が最短である２つのＲＥである。
【００４２】
上述したように、ＬＴＥとは異なり、ＮＲにおいては、ＲＳパターンは、構成の差異および波形の差異に従って変化する場合がある。したがって、参照信号のパターンによって変化するＵＣＩのマッピングに起因して、より良好なチャネル性能を達成することができる。
【００４３】
本開示の一実施形態によれば、ＵＣＩは、複数のタイプのＵＣＩを含み、複数のタイプのＵＣＩは、それぞれ優先度を割り当てられ、あるタイプのＵＣＩに割り当てられる優先度が高いほど、そのタイプのＵＣＩがマッピングされている、１つまたは複数の利用可能なリソースエレメントと、参照信号がマッピングされているリソースエレメントとの距離が短くなる。
【００４４】
具体的には、図４および図５は、ＵＣＩを一般的な情報として取り上げることによってＵＣＩのマッピングを論じているが、実際には、ＵＣＩはいくつかのタイプに細分化され得る。さらに、異なるタイプのＵＣＩを優先順位付けすることによって、これらの異なるタイプのＵＣＩのマッピングは、それらの優先度を反映することもできる。それによって、複数の異なるタイプのＵＣＩの優先度を保証することができる。
【００４５】
より具体的には、説明を簡便にするために、複数のタイプのＵＣＩは、ハイブリッド自動再送要求−送達確認（ＨＡＲＱ−ＡＣＫ）、ランク指標（ＲＩ）、ビーム管理／回復およびチャネル状態情報（ＣＳＩ）を含み、これらにはそれぞれ、優先順位の降順に優先度が割り当てられると仮定される。すなわち、これらのＵＣＩの優先順位は、ＨＡＲＱ−ＡＣＫ→ＲＩ→ビーム管理／回復→ＣＳＩである。ここで、ビーム管理／回復は、ＮＲ向けに設計された新規のタイプのＵＣＩである。ＣＳＩは、ＣＱＩ／ＰＭＩのようなＣＳＩに関する。
【００４６】
本開示の一実施形態によれば、複数のタイプのＵＣＩのすべては同じサブキャリアにマッピングされ、あるタイプのＵＣＩに割り当てられる優先度が高いほど、時間領域における、そのタイプのＵＣＩがマッピングされている、１つまたは複数の利用可能なリソースエレメントと、参照信号がマッピングされているリソースエレメントとの間の距離が短くなる。
【００４７】
図６は、本開示の一実施形態によるＮＲでのＰＵＳＣＨにおける異なるタイプのＵＣＩのマッピングの例示的なシナリオを概略的に示す。図６は、ＣＰ−ＯＦＤＭ波形が使用され、ＤＭＲＳパターンが長さ２のＦＤ  ＯＣＣベースの構成の図２（Ｂ）に示すものと同じである事例に対応する。例えば、図６に示すように、ＰＲＢ６０において、ＰＤＣＣＨが、交差線で埋められたＲＥによって示すように、最初の２つのシンボル、すなわち、シンボル０、１にマッピングされる。ＤＭＲＳは、左斜めの線で埋められたＲＥによって示すように、時間領域におけるシンボル２および周波数領域における連続するサブキャリア２および３、６および７、ならびに１０および１１にマッピングされる。
【００４８】
図５と同様に、ＵＣＩのすべては、周波数領域においてＤＭＲＳと同じサブキャリア、すなわち、サブキャリア２および３、６および７、ならびに１０および１１にマッピングされる。さらに、これらの４つのタイプのＵＣＩの優先順位は、時間領域における（シンボルレベルにおける）そのＵＣＩとＤＭＲＳとの間の距離によって反映される。具体的には、図６に示すように、ＨＡＲＱ−ＡＣＫが最高の優先度を有するため、垂直の線で埋められたＲＥによって示すように、ＨＡＲＱ−ＡＣＫは時間領域においてシンボル３にマッピングされる。次に、２番目に高い優先度を有するＲＩが、水平の線で埋められたＲＥによって示すように、時間領域においてシンボル４にマッピングされる。次いで、３番目に高い優先度を有するビーム管理／回復が、点で埋められたＲＥによって示すように、時間領域においてシンボル５にマッピングされる。最後に、最低の優先度を有するＣＳＩ（例えば、ＣＱＩ／ＰＭＩ）が、右斜めの線で埋められたＲＥによって示すように、シンボル６にマッピングされる。図６から、ＨＡＲＱ−ＡＣＫが、時間領域において（シンボルレベルにおいて）ＤＭＲＳに最も近く、一方で、ＣＳＩが、時間領域において（シンボルレベルにおいて）ＤＭＲＳに対して最も遠いことが分かる。
【００４９】
ここで、これら４つのタイプのＵＣＩを全体として取り上げると、ＤＭＲＳがマッピングされているＲＥとの最短距離は、時間領域において４つのシンボル内にあるものとして説明することができる。または、距離に関する粒度が、例えば、４シンボルであり得る。より具体的には、これら４つのタイプのＵＣＩの中で、最高の優先度を有するＵＣＩが、ＤＭＲＳ  ＲＥとの間の距離が１シンボル以内である、すなわち、時間領域において（シンボルレベルにおいて）ＤＭＲＳ  ＲＥとの間の最短距離を有するＲＥにマッピングされ、２番目に高い優先度を有するＵＣＩが、ＤＭＲＳ  ＲＥとの間の距離が２シンボル以内である、すなわち、時間領域において（シンボルレベルにおいて）ＤＭＲＳ  ＲＥとの間の２番目に短い距離を有するＲＥにマッピングされ、以下同様である。
【００５０】
上述したように、ＵＣＩのすべてをＤＭＲＳと同じサブキャリアにマッピングすること、すなわち、最初に周波数領域マッピングを考慮することによって、レイテンシを低減することができる。それと同時に、複数の異なるタイプのＵＣＩの優先度を保証することができる。
【００５１】
本開示の一実施形態によれば、あるタイプのＵＣＩに割り当てられる優先度が高いほど、周波数領域と時間領域の両方における、そのタイプのＵＣＩがマッピングされている、１つまたは複数の利用可能なリソースエレメントと、参照信号がマッピングされているリソースエレメントとの距離が短くなる。
【００５２】
図７は、本開示の一実施形態によるＮＲでのＰＵＳＣＨにおける異なるタイプのＵＣＩのマッピングの例示的なシナリオを概略的に示す。図７は、ＣＰ−ＯＦＤＭ波形が使用され、ＤＭＲＳパターンが櫛状の構成の図２（Ａ）に示すものと同じである事例に対応する。例えば、図７に示すように、ＰＲＢ７０において、ＰＤＣＣＨが、交差線で埋められたＲＥによって示すように、最初の２つのシンボル、すなわち、シンボル０、１にマッピングされる。ＤＭＲＳは、左斜めの線で埋められたＲＥによって示すように、時間領域におけるシンボル２および周波数領域におけるサブキャリア１、３、５、７、９および１１にマッピングされる。
【００５３】
上述したように、ＨＡＲＱ−ＡＣＫの優先度はＲＩの優先度よりも高い。したがって、ＨＡＲＱ−ＡＣＫは、垂直な線で埋められたＲＥによって示すように、周波数領域においてＤＭＲＳと同じサブキャリアにマッピングされ、時間領域においてＤＭＲＳに隣接するシンボルにマッピングされる。次いで、ＲＩは、水平な線で埋められたＲＥによって示すように、周波数領域においてＤＭＲＳに隣接するサブキャリアにマッピングされ、時間領域においてＨＡＲＱ−ＡＣＫと同じシンボルにマッピングされる。
【００５４】
ＨＡＲＱ−ＡＣＫおよびＲＩを全体として取り上げると、図７におけるＵＣＩマッピングの様式は、ＵＣＩがマッピングされるＲＥが、時間領域と周波数領域の両方において（ＲＥレベルにおいて）ＤＭＲＳがマッピングされているＲＥとの距離が最短である２つのＲＥである、図４（Ｂ）における様式と同じである。ここで、ＤＭＲＳがマッピングされているＲＥとの最短距離は、１ＲＥ、すなわち、時間領域における１シンボルおよび／または周波数領域における１サブキャリア内にあるものとして説明することができる。または、距離に関する粒度が、例えば、１ＲＥであり得る。
【００５５】
図７において、２つのタイプのＵＣＩの優先順位は、図６とは異なる、時間領域と周波数領域の両方における（ＲＥレベルにおける）そのＵＣＩとＤＭＲＳとの間の距離によって反映される。さらに、周波数領域マッピングが最初に考慮され、すなわち、高い方の優先度を有するＨＡＲＱ−ＡＣＫがＤＭＲＳと同じサブキャリアにマッピングされ、したがって、異なるＵＣＩの優先度が保証されると同時に、レイテンシを低減することができる。すなわち、これら２つのタイプのＵＣＩの中で、高い方の優先度を有するＵＣＩが、距離が周波数領域において０サブキャリア以内であり、時間領域において１シンボル以内である、すなわち、周波数領域と時間領域の両方において（ＲＥレベルにおいて）ＤＭＲＳ  ＲＥとの距離が最短であるＲＥにマッピングされ、一方で、低い方の優先度を有するＵＣＩが、距離が周波数領域において１サブキャリア以内であり、時間領域において１シンボル以内である、すなわち、周波数領域と時間領域の両方において（ＲＥレベルにおいて）ＤＭＲＳ  ＲＥとの距離が２番目に短いＲＥにマッピングされる。
【００５６】
図７には２つのみのタイプのＵＣＩが示されているが、本開示はこれに限定されないことに留意されたい。また、より多くのタイプのＵＣＩが存在するとき、それらの優先順位も、時間領域と周波数領域の両方において（ＲＥレベルにおいて）ＤＭＲＳとの距離によって反映され得る。
【００５７】
前方ＤＭＲＳのみがＰＲＢ内でマッピングされる事例に関して上述したが、本開示は、前方ＤＭＲＳおよび追加のＤＭＲＳが存在する事例に適用することもできる。
【００５８】
本開示の一実施形態によれば、参照信号は、前方復調参照信号（ＤＭＲＳ）および追加のＤＭＲＳを含み、前方ＤＭＲＳに合わせたＵＣＩのマッピングは、追加のＤＭＲＳに合わせたＵＣＩのマッピングと同じであるかまたは異なる。
【００５９】
図８は、本開示の一実施形態による、前方ＤＭＲＳおよび追加のＤＭＲＳの場合の、ＮＲでのＰＵＳＣＨにおける異なるタイプのＵＣＩのマッピングの例示的なシナリオを概略的に示す。図８においては、交差線で埋められたＲＥによって示すように、ＰＲＢ８０内の最初の３つのシンボルが、制御領域に使用されると仮定される。左斜めの線で埋められたＲＥによって示すように、前方ＤＭＲＳは、時間領域におけるシンボル３、４および周波数領域におけるサブキャリア５、１１にマッピングされ、追加のＤＭＲＳは、時間領域におけるシンボル９、１０および周波数領域におけるサブキャリア５、１１にマッピングされる。
【００６０】
前方ＤＭＲＳ（例えば、シンボル４およびサブキャリア１１を含むＲＥ）を一例に挙げると、前方ＤＭＲＳに合わせたＵＣＩの異なるタイプのマッピングは、周波数領域における（サブキャリアレベルにおける）前方ＤＭＲＳとの距離に基づく。具体的には、上述したように、これらのＵＣＩの優先順位は、ＨＡＲＱ−ＡＣＫ→ＲＩ→ビーム管理／回復→ＣＳＩである。したがって、最高の優先度を有するＨＡＲＱ−ＡＣＫが、垂直な線で埋められたＲＥによって示すように、周波数領域において前方ＤＭＲＳと同じサブキャリアにマッピングされ、時間領域において前方ＤＭＲＳに隣接するシンボルにマッピングされる。次に、２番目に高い優先度を有するＲＩが、水平な線で埋められたＲＥによって示すように、時間領域においてＨＡＲＱ−ＡＣＫと同じシンボルにマッピングされ、周波数領域においてＨＡＲＱ−ＡＣＫに隣接するサブキャリアにマッピングされる。次いで、３番目に高い優先度を有するビーム管理／回復が、点で埋められたＲＥによって示すように、時間領域においてＨＡＲＱ−ＡＣＫと同じシンボルにマッピングされ、周波数領域においてＲＩに隣接するサブキャリアにマッピングされる。最後に、最低の優先度を有するＣＳＩが、右斜めの線で埋められたＲＥによって示すように、時間領域においてＨＡＲＱ−ＡＣＫと同じシンボルにマッピングされ、周波数領域においてビーム管理／回復に隣接するサブキャリアにマッピングされる。
【００６１】
したがって、これらの４つのタイプのＵＣＩの優先順位は、周波数領域における（サブキャリアレベルにおける）そのＵＣＩと前方ＤＭＲＳとの間の距離によって反映される。より具体的には、ＵＣＩのタイプの優先度が高いほど、周波数領域における（サブキャリアレベルにおける）そのタイプのＵＣＩと前方ＤＭＲＳとの間の距離は短くなる。上述したように、周波数領域マッピングは、レイテンシを低減するために最初に考慮される。
【００６２】
図８に示すように、追加のＤＭＲＳに合わせた、ＵＣＩのマッピングは、追加のＤＭＲＳ自体を中心として対称である。しかし、追加のＤＭＲＳに合わせたＵＣＩのマッピングは、前方ＤＭＲＳに合わせたマッピングと同じではない。具体的には、時間領域におけるシンボル９および周波数領域におけるサブキャリア１１を含むＲＥにマッピングされる追加のＤＭＲＳについて、４つのタイプのＵＣＩは時間領域においてシンボル８にマッピングされ、一方、時間領域におけるシンボル１０および周波数領域におけるサブキャリア１１を含むＲＥにマッピングされる追加のＤＭＲＳについて、４つのタイプのＵＣＩは時間領域においてシンボル１１にマッピングされる。
【００６３】
図９は、本開示の一実施形態による、前方ＤＭＲＳおよび追加のＤＭＲＳの場合の、ＮＲでのＰＵＳＣＨにおける異なるタイプのＵＣＩのマッピングの例示的なシナリオを概略的に示す。図８と同様に、交差線で埋められたＲＥによって示すように、ＰＲＢ９０内の最初の３つのシンボルが、制御領域に使用されると仮定される。左斜めの線で埋められたＲＥによって示すように、前方ＤＭＲＳは、時間領域におけるシンボル３、４および周波数領域におけるサブキャリア５、１１にマッピングされ、追加のＤＭＲＳは、時間領域におけるシンボル９、１０および周波数領域におけるサブキャリア５、１１にマッピングされる。
【００６４】
前方ＤＭＲＳ（例えば、シンボル４およびサブキャリア１１を含むＲＥ）を一例に挙げると、前方ＤＭＲＳに合わせたＵＣＩの異なるタイプのマッピングは、周波数領域と時間領域の両方における（ＲＥレベルにおける）前方ＤＭＲＳとの距離に基づく。具体的には、上述したように、これらのＵＣＩの優先順位は、ＨＡＲＱ−ＡＣＫ→ＲＩ→ビーム管理／回復→ＣＳＩである。したがって、最高の優先度を有するＨＡＲＱ−ＡＣＫが、垂直な線で埋められたＲＥによって示すように、周波数領域において前方ＤＭＲＳと同じサブキャリアにマッピングされ、時間領域において前方ＤＭＲＳに隣接するシンボルにマッピングされる。次に、２番目に高い優先度を有するＲＩが、水平な線で埋められたＲＥによって示すように、時間領域においてＨＡＲＱ−ＡＣＫと同じシンボルにマッピングされ、周波数領域においてＨＡＲＱ−ＡＣＫに隣接するサブキャリアにマッピングされる。次いで、３番目に高い優先度を有するビーム管理／回復が、点で埋められたＲＥによって示すように、時間領域においてＨＡＲＱ−ＡＣＫと同じシンボルにマッピングされ、周波数領域においてＨＡＲＱ−ＡＣＫに隣接するサブキャリアにマッピングされる。最後に、最低の優先度を有するＣＳＩが、右斜めの線で埋められたＲＥによって示すように、時間領域においてビーム管理／回復と同じシンボルにマッピングされ、周波数領域においてビーム管理／回復に隣接するサブキャリアにマッピングされる。
【００６５】
図９においてＵＣＩをマッピングする原理は、図７のものと同じである。すなわち、これらの４つのタイプのＵＣＩの優先順位は、周波数領域と時間領域の両方における（ＲＥレベルにおける）それらのＵＣＩと前方ＤＭＲＳとの間の距離によって反映される。上述したように、周波数領域マッピングは、レイテンシを低減するために最初に考慮される。
【００６６】
図８と同様に、図９において、追加のＤＭＲＳに合わせた、ＵＣＩのマッピングは、追加のＤＭＲＳ自体を中心として対称である。しかし、追加のＤＭＲＳに合わせたＵＣＩのマッピングは、前方ＤＭＲＳに合わせたマッピングと同じではない。
【００６７】
図１０は、本開示の一実施形態による、前方ＤＭＲＳおよび追加のＤＭＲＳの場合の、ＮＲでのＰＵＳＣＨにおける異なるタイプのＵＣＩのマッピングの例示的なシナリオを概略的に示す。図１０は、ＣＰ−ＯＦＤＭ波形が使用され、前方ＤＭＲＳパターンが長さ２のＦＤ  ＯＣＣベースの構成の図２（Ｂ）に示すものと同様である事例に対応する。例えば、図１０に示すように、ＰＲＢ１００において、ＰＤＣＣＨが、交差線で埋められたＲＥによって示すように、最初の２つのシンボル、すなわち、シンボル０、１にマッピングされる。前方ＤＭＲＳは、左斜めの線で埋められたＲＥによって示すように、時間領域におけるシンボル２および周波数領域における連続するサブキャリア２および３、６および７、ならびに１０および１１にマッピングされる。加えて、ＰＲＢ１００においては、時間領域におけるシンボル９および周波数領域における連続するサブキャリア２および３、６および７、ならびに１０および１１にマッピングされる追加のＤＭＲＳが存在する。
【００６８】
前方ＤＭＲＳに合わせて、異なるタイプのＵＣＩのマッピングは図６のものと同じであるため、その詳細は、冗長になるのを避けるために、これ以上は与えない。図８および図９とは異なり、図１０においては、追加のＤＭＲＳに合わせたＵＣＩのマッピングは、前方ＤＭＲＳに合わせたＵＣＩのマッピングと同じである。
【００６９】
上述した例はＤＭＲＳのみをＲＳとして示しているが、本開示は、これには限定されない。一般的には、ＮＲではＤＭＲＳとＰＴ−ＲＳの両方が存在する。いずれの種類のＲＳが存在するかは、基地局において設定され得ることに留意されたい。
【００７０】
本開示の一実施形態によれば、参照信号は、復調参照信号（ＤＭＲＳ）および位相追跡参照信号（ＰＴ−ＲＳ）を含み、ＵＣＩは、複数レイヤ送信の場合は、回路３１０によって、ＰＴ−ＲＳを送信するレイヤにおいてのみマッピングされる。
【００７１】
図１１は、本開示の一実施形態による、ＰＴ−ＲＳが存在する場合の、ＮＲでのＰＵＳＣＨにおけるＵＣＩのマッピングの例示的なシナリオを概略的に示す。図１１は、複数レイヤ送信に対応する。上述したように、ＰＴ−ＲＳは、複数レイヤ送信においてすべてのレイヤ内で送信されるのではない。ここで、ＵＥ３００が、図１１に示すように合計２つのレイヤを送信すると仮定される。各レイヤについて、ＰＤＣＣＨおよびＤＭＲＳの構成は、図２（Ａ）のものと同じであり、したがって、冗長になるのを避けるために、その詳細はここでは論じない。
【００７２】
図１１において点で埋められたＲＥによって示すように、レイヤ１のみがＰＴ−ＲＳを送信するとも仮定される。この事例において、ＵＣＩは、より良好な位相誤差補償を得るために、レイヤ１においてのみマッピングされる。ここで、複数のレイヤが空間領域を表す。この例は、ＵＣＩのマッピングが、空間領域における（レイヤレベルにおける）ＰＴ−ＲＳとの距離にも基づくことを示す。
【００７３】
ＵＣＩは、図１１のレイヤ１に示すように、時間領域および／または周波数領域においてＰＴ−ＲＳがマッピングされるＲＥよりも、ＤＭＲＳがマッピングされるＲＥに近いＲＥにマッピングされるが、本開示はこれには限定されないことに留意されたい。ＵＣＩはまた、時間領域および／または周波数領域において、ＤＭＲＳがマッピングされるＲＥよりも、ＰＴ−ＲＳがマッピングされるＲＥに近いＲＥにマッピングされてもよい。ＵＣＩのマッピングは、レイテンシと位相誤差補償の両方を考慮して判断されるべきである。
【００７４】
本開示の一実施形態によれば、ＵＣＩは、回路３１０によって、ＰＴ−ＲＳを有するＰＲＢにおいてのみマッピングされる。
【００７５】
図１２は、本開示の一実施形態による、ＰＴ−ＲＳが存在する場合の、ＮＲでのＰＵＳＣＨにおけるＵＣＩのマッピングの例示的なシナリオを概略的に示す。図１２では、ＰＤＣＣＨおよびＤＭＲＳの構成は、図２（Ａ）のものと同じであり、したがって、冗長になるのを避けるために、その詳細はここでは論じない。
【００７６】
よく知られているように、ＰＴ−ＲＳは、すべてのＰＲＢにおいて送信されるとは限らない場合がある。ここで、ＵＥ３００が、図１２に示すようにＰＲＢ１においてはＰＴ−ＲＳを送信するが、ＰＲＢ２においては送信しないと仮定される。したがって、より良好な位相誤差補償を得るために、ＵＣＩはＰＲＢ１においてのみマッピングされ、ＰＲＢ２においてはマッピングされない。
【００７７】
本開示の一実施形態によれば、図１１および図１２の事例において、サイクリックプレフィックス直交分割周波数多重化（ＣＰ−ＯＦＤＭ）、または、ＰＴ−ＲＳがプレＤＦＴである離散フーリエ変換拡散直交分割周波数多重化（ＤＦＴ−Ｓ−ＯＦＤＭ）がＰＵＳＣＨにおいて利用される。
【００７８】
厳密に言えば、よく知られているように、ＰＴ−ＲＳがポストＤＦＴであるＤＦＴ−Ｓ−ＯＦＤＭがＰＵＳＣＨにおいて利用されるとき、ＤＦＴ処理後にＤＭＲＳおよびＰＴ−ＲＳは挿入されず、したがって、図１１および図１２の動作は適用可能でない。対照的に、ＰＴ−ＲＳがプレＤＦＴであるＤＦＴ−Ｓ−ＯＦＤＭがＰＵＳＣＨにおいて利用されるとき、ＤＦＴ処理前にＰＴ−ＲＳが挿入され、したがって、図１１および図１２の動作は適用可能である。
【００７９】
本開示の一実施形態によれば、周波数領域において、ＵＣＩは、ＰＵＳＣＨのＰＲＢにわたって均等に分散され、または、ＰＵＳＣＨのＰＲＢの上部および底部に集中化される。
【００８０】
具体的には、図４〜図１２は、ＵＣＩが周波数領域においてＰＲＢにわたって均等に分散されている事例を示すが、本開示はこれには限定されない。ＵＣＩはまた、ＬＴＥの図１に示すＵＣＩのマッピングのように、ＮＲではＰＵＳＣＨのＰＲＢの上部および底部に集中化されない場合もある。
【００８１】
回路３１０において採用されるＵＣＩをマッピングする規則は、前もって固定することができ、または、基地局によって半静的もしくは動的に設定することができることに留意されたい。
【００８２】
加えて、上記の図面は、ＰＲＢ内にＰＤＣＣＨまたは制御領域を含むが、本開示はこれには限定されず、ＰＤＣＣＨまたは制御領域が存在するか否かは、本開示に影響を及ぼさない。
【００８３】
上記において、ＵＥ３００が、図３〜図１２を参照して詳細に説明されている。ＵＥ３００を用いて、時間領域、周波数領域および空間領域のうちの１つまたは複数における、これらのＲＥと、ＲＳがマッピングされているＲＥとの間の距離に従って、ＵＣＩをＲＥにマッピングすることによって、ＮＲにおいてＲＳ衝突を回避することができ、システム性能を改善することができる。
【００８４】
本開示の別の実施形態において、図１３に示すような基地局が提供される。図１３は、本開示の一実施形態による基地局１３００の一部分のブロック図を示す。図１３に示すように、基地局１３００は、受信機１３１０および回路１３２０を含む。受信機１３１０は、物理アップリンク共有チャネル（ＰＵＳＣＨ）の物理リソースブロック（ＰＲＢ）上のＰＵＳＣＨ内のアップリンク制御情報（ＵＣＩ）および参照信号を、ユーザ機器から受信するように動作可能である。回路１３２０は、時間領域、周波数領域および空間領域のうちの１つまたは複数における、それらのリソースエレメントと、参照信号がマッピングされているリソースエレメントとの間の距離に従ってＵＣＩがＰＲＢにおいて１つまたは複数の利用可能なリソースエレメントにマッピングされていることを示すデマッピング規則に従って、ＵＣＩおよび参照信号を、ＰＲＢ内のそれぞれのリソースエレメントからデマッピングするように動作可能である。例えば、ユーザ機器は、図３に示すようなＵＥ３００であってもよい。
【００８５】
本開示の一実施形態によれば、デマッピング規則は、時間領域、周波数領域および空間領域のうちの１つまたは複数において、参照信号がマッピングされているリソースエレメントとの距離が最短である１つまたは複数の利用可能なリソースエレメントに、ＵＣＩがマッピングされていることをさらに示す。
【００８６】
本開示の一実施形態によれば、参照信号は、復調参照信号（ＤＭＲＳ）および位相追跡参照信号（ＰＴ−ＲＳ）を含み、デマッピング規則は、ＵＣＩが、複数レイヤ送信の場合は、ＰＴ−ＲＳを送信するレイヤにおいてのみマッピングされていることをさらに示す。
【００８７】
本開示の一実施形態によれば、デマッピング規則は、ＵＣＩが、ＰＴ−ＲＳを有するＰＲＢにおいてのみマッピングされていることをさらに示す。
【００８８】
本開示の一実施形態によれば、サイクリックプレフィックス直交分割周波数多重化（ＣＰ−ＯＦＤＭ）、または、ＰＴ−ＲＳがプレＤＦＴである離散フーリエ変換拡散直交分割周波数多重化（ＤＦＴ−Ｓ−ＯＦＤＭ）がＰＵＳＣＨにおいて利用される。
【００８９】
本開示の一実施形態によれば、参照信号は復調参照信号（ＤＭＲＳ）を含み、デマッピング規則は、ＵＣＩが、ＤＭＲＳと同じサブキャリアにマッピングされていることをさらに示す。
【００９０】
本開示の一実施形態によれば、ＵＣＩのマッピングは、参照信号のパターンによって変化する。
【００９１】
本開示の一実施形態によれば、ＵＣＩは、複数のタイプのＵＣＩを含み、複数のタイプのＵＣＩは、それぞれ優先度を割り当てられ、あるタイプのＵＣＩに割り当てられる優先度が高いほど、そのタイプのＵＣＩがマッピングされている、１つまたは複数の利用可能なリソースエレメントと、参照信号がマッピングされているリソースエレメントとの間の距離が短くなる。
【００９２】
本開示の一実施形態によれば、デマッピング規則は、複数のタイプのＵＣＩのすべてが同じサブキャリアにマッピングされていること、および、あるタイプのＵＣＩに割り当てられる優先度が高いほど、時間領域における、そのタイプのＵＣＩがマッピングされている、１つまたは複数の利用可能なリソースエレメントと、参照信号がマッピングされているリソースエレメントとの間の距離が短くなることをさらに示す。
【００９３】
本開示の一実施形態によれば、デマッピング規則は、あるタイプのＵＣＩに割り当てられる優先度が高いほど、周波数領域と時間領域の両方における、そのタイプのＵＣＩがマッピングされている、１つまたは複数の利用可能なリソースエレメントと、参照信号がマッピングされているリソースエレメントとの間の距離が短くなることをさらに示す。
【００９４】
本開示の一実施形態によれば、複数のタイプのＵＣＩは、ハイブリッド自動再送要求−送達確認（ＨＡＲＱ−ＡＣＫ）、ランク指標（ＲＩ）、ビーム管理／回復およびチャネル状態情報（ＣＳＩ）を含み、これらにはそれぞれ、優先順位の降順に優先度が割り当てられる。
【００９５】
本開示の一実施形態によれば、参照信号は、前方復調参照信号（ＤＭＲＳ）および追加のＤＭＲＳを含み、前方ＤＭＲＳに合わせたＵＣＩのマッピングは、追加のＤＭＲＳに合わせたＵＣＩのマッピングと同じであるかまたは異なる。
【００９６】
本開示の一実施形態によれば、周波数領域において、ＵＣＩは、ＰＵＳＣＨのＰＲＢにわたって均等に分散され、または、ＰＵＳＣＨのＰＲＢの上部および底部に集中化される。
【００９７】
ＢＳ１３００を用いて、時間領域、周波数領域および空間領域のうちの１つまたは複数における、これらのＲＥと、ＲＳがマッピングされているＲＥとの間の距離に従って、ＵＣＩをＲＥにマッピングすることによって、ＮＲにおいてＲＳ衝突を回避することができ、システム性能を改善することができる。
【００９８】
図１４は、本開示の一実施形態による、ＣＰ−ＯＦＤＭ波形がアップリンク送信に使用されるときのユーザ機器１４００の詳細のブロック図を示す。図１４に示すように、ユーザ機器１４００は、回路３１０と、送信機３２０と、アンテナ１４０５と、受信機１４０６とを含むことができる。ＵＥ１４００の回路３１０は、アップリンク送信のための符号化器１４０１と、変調器１４０２と、リソースマッピングユニット１４０３と、ＩＦＦＴ（逆高速フーリエ変換）ユニット１４０４とを含むことができる。加えて、ＵＥ１４００の回路３１０は、ダウンリンク受信のためのＦＦＴ（高速フーリエ変換）ユニット１４０７と、リソースデマッピングユニット１４０８と、復調器１４０９と、復号器１４１０とをさらに含むことができる。
【００９９】
これらの構成要素のうち、回路３１０は主に図３に示す回路３１０として機能し、送信機３２０は主に図３に示す送信機３２０として機能する。したがって、図３のものと同様の機能を有する要素は、同じ符号を付されており、簡潔かつ明瞭にする目的で、本明細書においては繰り返し説明しない。
【０１００】
符号化器１４０１は、送信データを符号化し、符号化データを変調器１４０２に出力する。変調器１４０２は、符号化データを変調し、変調データをリソースマッピングユニット１４０３に出力する。
【０１０１】
リソースマッピングユニット１４０３は、変調データをＰＵＳＣＨのＰＲＢにおけるデータ送信のためのＲＥにマッピングし、ＲＳ（例えば、ＤＭＲＳおよび／またはＰＴ−ＲＳ）をＰＲＢ内のＲＳのためのＲＥにマッピングする。加えて、リソースマッピングユニット１４０３は、ＰＵＳＣＨのＰＲＢにおいて、ＵＣＩを１つまたは複数の利用可能なＲＥに、時間領域、周波数領域および空間領域のうちの１つまたは複数における、それらのＲＥと、ＲＳがマッピングされるＲＥとの間の距離に従ってマッピングする。ＵＣＩマッピングの詳細な動作は、図４〜図１２を参照して詳細に説明されており、それゆえ、その詳細は、明瞭かつ簡潔にする目的で省略する。
【０１０２】
ＩＦＦＴユニット１４０４は、データ、ＲＳおよびＵＣＩがマッピングされているＰＲＢ内の複数のサブキャリアに対してＩＦＦＴ処理を実施し、ＩＦＦＴ処理後の信号を送信機３２０に出力する。送信機３２０は、アンテナ１４０５を介して基地局に信号を出力する。
【０１０３】
受信機１４０６は、アンテナ１４０５を介して基地局から送信されているダウンリンク信号を受信する。ＮＲではＣＰ−ＯＦＤＭ波形のみがダウンリンク送信に使用されるため、ＦＦＴユニット１４０７、リソースデマッピングユニット１４０８、復調器１４０９および復号器１４１０は、受信機１４０６によって受信されるダウンリンク信号に対して一連の信号処理を実施し、最終的に、受信データを取得するために使用される。ＦＦＴユニット１４０７、リソースデマッピングユニット１４０８、復調器１４０９および復号器１４１０の動作は、当業者のよく知るところであり、本開示の発明の要点と混同されることを回避するために、その詳細はここでは論じないことに留意されたい。
【０１０４】
図１４は、部分、すなわち、符号化器１４０１、変調器１４０２、リソースマッピングユニット１４０３、ＩＦＦＴユニット１４０４、ＦＦＴユニット１４０７、リソースデマッピングユニット１４０８、復調器１４０９および復号器１４１０が回路３１０内にあることを示しているが、これは例に過ぎず、限定ではないことに留意されたい。事実、例えば、統合されている部分のうちの１つまたは複数は、特定の要件に応じて回路３１０から分離されてもよい。
【０１０５】
図１５は、本開示の一実施形態による、ＤＦＴ−Ｓ−ＯＦＤＭ波形がアップリンク送信に使用されるときのユーザ機器１５００の詳細のブロック図を示す。図１５に示すように、ユーザ機器１５００は、回路３１０と、送信機３２０と、アンテナ１４０５と、受信機１４０６とを含むことができる。ＵＥ１５００の回路３１０は、アップリンク送信のための符号化器１４０１と、変調器１４０２と、リソースマッピングユニット１５０３と、ＤＦＴユニット１５５０と、ＩＦＦＴユニット１４０４とをさらに含むことができる。加えて、ＵＥ１５００の回路３１０は、ダウンリンク受信のためのＦＦＴユニット１４０７と、リソースデマッピングユニット１４０８と、復調器１４０９と、復号器１４１０とをさらに含むことができる。
【０１０６】
これらの構成要素のうち、回路３１０は主に図３に示す回路３１０として機能し、送信機３２０は主に図３に示す送信機３２０として機能する。したがって、図３のものと同様の機能を有する要素は、同じ符号を付されており、簡潔かつ明瞭にする目的で、本明細書においては繰り返し説明しない。同様に、符号化器１４０１、変調器１４０２、ＩＦＦＴユニット１４０４、ＦＦＴユニット１４０７、リソースデマッピングユニット１４０８、復調器１４０９および復号器１４１０の動作は図１４に示すものと同じであるため、図１４のものと同様の機能を有する要素は同じ符号を付されており、簡潔かつ明瞭にする目的で、本明細書においては繰り返し説明しない。図１４からの図１５の差異は、リソースマッピングユニット１５０３および新たに追加されているＤＦＴユニット１５５０であり、以下ではこれら２つのユニットを説明する。
【０１０７】
ＰＴ−ＲＳがプレＤＦＴであるＤＦＴ−Ｓ−ＯＦＤＭがＰＵＳＣＨにおいて利用されるとき、リソースマッピングユニット１５０３は、変調器１４０２からの変調データをＰＵＳＣＨのＰＲＢにおけるデータ送信のためのＲＥにマッピングし、ＰＴ−ＲＳをＰＲＢ内のＰＴ−ＲＳのためのＲＥにマッピングする。加えて、リソースマッピングユニット１５０３は、ＰＵＳＣＨのＰＲＢにおいて、ＵＣＩを１つまたは複数の利用可能なＲＥに、時間領域、周波数領域および空間領域のうちの１つまたは複数における、それらのＲＥと、ＲＳがマッピングされるＲＥとの間の距離に従ってマッピングする。ＵＣＩマッピングの詳細な動作は、図４〜図１２を参照して詳細に説明されており、それゆえ、その詳細は、明瞭かつ簡潔にする目的で省略する。
【０１０８】
ＤＦＴユニット１５５０は、データ、ＰＴ−ＲＳおよびＵＣＩがマッピングされているＰＲＢ内の複数のサブキャリアに対してＤＦＴ処理を実施し、ＤＦＴ処理後の信号をＩＦＦＴユニット１４０４に出力する。ＤＦＴユニット１５５０によるＤＦＴ処理の後、ＤＭＲＳは、ＤＦＴ処理後のＰＲＢ内のＤＭＲＳのためのＲＥに挿入（マッピング）される。次いで、ＩＦＦＴユニット１４０４は、データ、ＲＳ（ＤＭＲＳおよびＰＴ−ＲＳを含む）およびＵＣＩがマッピングされているＰＲＢ内の複数のサブキャリアに対してＩＦＦＴ処理を実施し、ＩＦＦＴ処理後の信号を送信機３２０に出力する。送信機３２０は、アンテナ１４０５を介して基地局に信号を出力する。
【０１０９】
ＰＴ−ＲＳがポストＤＦＴであるＤＦＴ−Ｓ−ＯＦＤＭがＰＵＳＣＨにおいて利用されるとき、リソースマッピングユニット１５０３は、変調器１４０２からの変調データをＰＵＳＣＨのＰＲＢにおけるデータ送信のためのＲＥにマッピングする。加えて、リソースマッピングユニット１５０３は、ＰＵＳＣＨのＰＲＢにおいて、ＵＣＩを１つまたは複数の利用可能なＲＥに、時間領域、周波数領域および空間領域のうちの１つまたは複数における、それらのＲＥと、ＲＳ（例えば、ＤＭＲＳおよび／またはＰＴ−ＲＳ）がマッピングされるＲＥとの間の距離に従ってマッピングする。
【０１１０】
ＤＦＴユニット１５５０は、データおよびＵＣＩがマッピングされているＰＲＢ内の複数のサブキャリアに対してＤＦＴ処理を実施し、ＤＦＴ処理後の信号をＩＦＦＴユニット１４０４に出力する。ＤＦＴユニット１５５０によるＤＦＴ処理の後、ＤＭＲＳとＰＴ−ＲＳの両方が、ＤＦＴ処理後のＰＲＢ内のそれらのＲＳのためのＲＥに挿入（マッピング）される。次いで、ＩＦＦＴユニット１４０４は、データ、ＲＳ（ＤＭＲＳおよびＰＴ−ＲＳを含む）およびＵＣＩがマッピングされているＰＲＢ内の複数のサブキャリアに対してＩＦＦＴ処理を実施し、ＩＦＦＴ処理後の信号を送信機３２０に出力する。送信機３２０は、アンテナ１４０５を介して基地局に信号を出力する。
【０１１１】
前述したように、ＰＴ−ＲＳがポストＤＦＴであるＤＦＴ−Ｓ−ＯＦＤＭがＰＵＳＣＨにおいて利用されるとき、ＰＴ−ＲＳはＤＦＴ処理後に挿入されるため、図１１および図１２に示すＵＣＩマッピングの動作は、この事例においては適用可能でないことに留意されたい。図４〜図１０に示すＵＣＩマッピングの動作は、この事例において依然として適用可能であり、それらは上記で詳細に説明したため、その詳細は、明瞭かつ簡潔にする目的で省略する。
【０１１２】
図１５は、部分、すなわち、符号化器１４０１、変調器１４０２、リソースマッピングユニット１５０３、ＤＦＴユニット１５５０、ＩＦＦＴユニット１４０４、ＦＦＴユニット１４０７、リソースデマッピングユニット１４０８、復調器１４０９および復号器１４１０が回路３１０内にあることを示しているが、これは例に過ぎず、限定ではないことに留意されたい。事実、例えば、統合されている部分のうちの１つまたは複数は、特定の要件に応じて回路３１０から分離されてもよい。
【０１１３】
図１６は、本開示の一実施形態による、ＣＰ−ＯＦＤＭ波形がアップリンク送信に使用されるときの基地局１６００の詳細のブロック図を示す。図１６に示すように、基地局１６００は、受信機１３１０と、回路１３２０と、送信機１６０５と、アンテナ１６０６とを含むことができる。ＢＳ１６００の回路１３２０は、アップリンク受信のためのＦＦＴ（高速フーリエ変換）ユニット１６０７と、リソースデマッピングユニット１６０８と、復調器１６０９と、復号器１６１０とをさらに含むことができる。加えて、ＢＳ１６００の回路１３２０は、ダウンリンク送信のための符号化器１６０１と、変調器１６０２と、リソースマッピングユニット１６０３と、ＩＦＦＴユニット１６０４とをさらに含むことができる。
【０１１４】
これらの構成要素のうち、受信機１３１０は主に図１３に示す受信機１３１０として機能し、回路１３２０は主に図１３に示す回路１３２０として機能する。したがって、図１３のものと同様の機能を有する要素は、同じ符号を付されており、簡潔かつ明瞭にする目的で、本明細書においては繰り返し説明しない。
【０１１５】
受信機１３１０は、アンテナ１６０６からＵＣＩを受信し、ＰＵＳＣＨのＰＲＢ上のＰＵＳＣＨ内のＲＳ（例えば、ＤＭＲＳおよび／またはＰＴ−ＲＳ）を、ユーザ機器（例えば、図１４に示すようなＵＥ１４００）から受信する。受信機１３１０によって受信される信号は、ＵＥから送信されるＦＦＴ処理後の信号であるため、ＦＦＴユニット１６０７が、受信信号に対してＦＦＴ処理を実施し、ＦＦＴ処理後の信号を、リソースデマッピングユニット１６０８に出力する。
【０１１６】
リソースデマッピングユニット１６０８は、ＵＣＩが、ＰＲＢにおいて、１つまたは複数の利用可能なＲＥに、時間領域、周波数領域および空間領域のうちの１つまたは複数における、それらのＲＥと、ＲＳがマッピングされるＲＥとの間の距離に従ってマッピングされていることを示すデマッピング規則に従って、ＵＣＩおよびＲＳを、ＰＲＢ内のそれぞれのＲＥからデマッピングする。明らかに、リソースデマッピングユニット１６０８はまた、ＰＲＢ内のデータ送信のためのＲＥからのデータもデマッピングする。
【０１１７】
復調器１６０９は、デマッピングデータをリソースデマッピングユニット１６０８から受信し、デマッピングデータを復調し、復調データを復号器１６１０に出力する。復号器１６１０は、復調器１６０９からの復調データを復号し、受信データを得る。
【０１１８】
ＮＲではＣＰ−ＯＦＤＭ波形のみがダウンリンク送信に使用されるため、符号化器１６０１、変調器１６０２、リソースマッピングユニット１６０３およびＩＦＦＴユニット１６０４は、送信機１６０５によって送信されることになるダウンリンク信号を生成するために使用される。次いで、送信機１６０５が、アンテナ１６０６を介して、ダウンリンク信号をユーザ機器（例えば、ＵＥ３００、ＵＥ１４００）に送信する。符号化器１６０１、変調器１６０２、リソースマッピングユニット１６０３およびＩＦＦＴユニット１６０４の動作は、当業者のよく知るところであり、本開示の発明の要点と混同されることを回避するために、その詳細はここでは論じないことに留意されたい。
【０１１９】
ＵＣＩマッピングの詳細な動作は、図４〜図１２を参照して詳細に説明されており、それゆえ、その詳細は、明瞭かつ簡潔にする目的で省略する。図１６は、部分、すなわち、符号化器１６０１、変調器１６０２、リソースマッピングユニット１６０３、ＩＦＦＴユニット１６０４、ＦＦＴユニット１６０７、リソースデマッピングユニット１６０８、復調器１６０９および復号器１６１０が回路１３２０内にあることを示しているが、これは例に過ぎず、限定ではないことに留意されたい。事実、例えば、統合されている部分のうちの１つまたは複数は、特定の要件に応じて回路１３２０から分離されてもよい。
【０１２０】
図１７は、本開示の一実施形態による、ＤＦＴ−Ｓ−ＯＦＤＭ波形がアップリンク送信に使用されるときの基地局１７００の詳細のブロック図を示す。図１７に示すように、基地局１７００は、受信機１３１０と、回路１３２０と、送信機１６０５と、アンテナ１６０６とを含むことができる。ＢＳ１７００の回路１３２０は、アップリンク受信のためのＦＦＴユニット１６０７と、ＩＤＦＴ（逆離散フーリエ変換）ユニット１７６０と、リソースデマッピングユニット１６０８と、復調器１６０９と、復号器１６１０とをさらに含むことができる。加えて、ＢＳ１７００の回路１３２０は、ダウンリンク送信のための符号化器１６０１と、変調器１６０２と、リソースマッピングユニット１６０３と、ＩＦＦＴユニット１６０４とをさらに含むことができる。
【０１２１】
これらの構成要素のうち、受信機１３１０は主に図１３に示す受信機１３１０として機能し、回路１３２０は主に図１３に示す回路１３２０として機能する。したがって、図１３のものと同様の機能を有する要素は、同じ符号を付されており、簡潔かつ明瞭にする目的で、本明細書においては繰り返し説明しない。同様に、符号化器１６０１、変調器１６０２、リソースマッピングユニット１６０３、ＩＦＦＴユニット１６０４、ＦＦＴユニット１６０７、リソースデマッピングユニット１６０８、復調器１６０９および復号器１６１０の動作は図１６に示すものと同じであるため、図１６のものと同様の機能を有する要素は同じ符号を付されており、簡潔かつ明瞭にする目的で、本明細書においては繰り返し説明しない。図１６からの図１７の差異は、新たに追加されているＩＤＦＴユニット１７６０であり、これは、ユーザ機器（例えば、図５に示すようなＵＥ１５００）から受信される信号がＵＥ側でＤＦＴ処理を受けているためである。
【０１２２】
具体的には、ＦＦＴユニット１６０７がＵＥからの受信信号に対してＦＦＴ処理を実施した後に、ＩＤＦＴユニット１７６０は、ＦＦＴ処理後の信号に対してＩＤＦＴ処理をさらに実施し、ＩＤＦＴ処理後の信号を、リソースデマッピングユニット１６０８に出力する。
【０１２３】
次いで、リソースデマッピングユニット１６０８は、ＵＣＩが、ＰＲＢにおいて、１つまたは複数の利用可能なＲＥに、時間領域、周波数領域および空間領域のうちの１つまたは複数における、それらのＲＥと、ＲＳがマッピングされるＲＥとの間の距離に従ってマッピングされていることを示すデマッピング規則に従って、ＵＣＩおよびＲＳを、ＰＲＢ内のそれぞれのＲＥからデマッピングする。明らかに、リソースデマッピングユニット１６０８はまた、ＰＲＢ内のデータ送信のためのＲＥからのデータもデマッピングする。復調器１６０９は、デマッピングデータをリソースデマッピングユニット１６０８から受信し、デマッピングデータを復調し、復調データを復号器１６１０に出力する。復号器１６１０は、復調器１６０９からの復調データを復号し、受信データを得る。
【０１２４】
ＵＣＩマッピングの詳細な動作は、図４〜図１２を参照して詳細に説明されており、それゆえ、その詳細は、明瞭かつ簡潔にする目的で省略する。上述したように、図１１および図１２に示すＵＣＩマッピングの動作は、ＰＴ−ＲＳがポストＤＦＴであるＤＦＴ−Ｓ−ＯＦＤＭがＰＵＳＣＨにおいて利用される場合には適していない。
【０１２５】
図１７は、部分、すなわち、符号化器１６０１、変調器１６０２、リソースマッピングユニット１６０３、ＩＦＦＴユニット１６０４、ＦＦＴユニット１６０７、ＩＤＦＴユニット１７６０、リソースデマッピングユニット１６０８、復調器１６０９および復号器１６１０が回路１３２０内にあることを示しているが、これは例に過ぎず、限定ではないことに留意されたい。事実、例えば、統合されている部分のうちの１つまたは複数は、特定の要件に応じて回路１３２０から分離されてもよい。
【０１２６】
図１８は、本開示の一実施形態による、ＢＳ１８１０とＵＥ１８２０との間の通信のフローチャートの一例を概略的に示す。例えば、ＢＳ１８１０は図１３に示すようなＢＳ１３００であってもよく、ＵＥ１８２０は、図３に示すようなＵＥ３００であってもよい。より具体的には、ＣＰ−ＯＦＤＭ波形がＮＲにおけるアップリンクに使用されるとき、ＢＳ１８１０は図１６に示すようなＢＳ１６００であってもよく、ＵＥ１８２０は、図１４に示すようなＵＥ１４００であってもよい。あるいは、ＤＦＴ−Ｓ−ＯＦＤＭ波形がＮＲにおけるアップリンクに使用されるとき、ＢＳ１８１０は図１７に示すようなＢＳ１７００であってもよく、ＵＥ１８２０は、図１５に示すようなＵＥ１５００であってもよい。
【０１２７】
ステップＳＴ１０１において、ＵＥ１８２０が、ある接続手順においてＢＳ１８１０と接続する。接続は、既知のまたは将来開発される方法を実施することによって確立されてもよく、その方法の詳細は本明細書では省略する。
【０１２８】
ステップＳＴ１０２において、ＵＥ１８２０は、ＰＵＳＣＨのＰＲＢにおいて、ＵＣＩを１つまたは複数の利用可能なＲＥに、時間領域、周波数領域および空間領域のうちの１つまたは複数における、それらのＲＥと、ＲＳがマッピングされるＲＥとの間の距離に従ってマッピングする。上述したように、ＵＥ１８２０は、図３に示すＵＥ３００のように回路３１０を含むことができ、ステップＳＴ１０２は、回路３１０によって実施することができる。
【０１２９】
ステップＳＴ１０３において、ＵＥ１８２０は、ＰＲＢ上のＰＵＳＣＨ内のＵＣＩおよびＲＳをＢＳ１８１０に送信する。上述したように、ＵＥ１８２０はまた、図３に示すＵＥ３００のように送信機３２０を含むことができ、ステップＳＴ１０３は、送信機３２０によって実施することができる。一方で、図１８には示されていないが、ＢＳ１８１０は、ＰＲＢ上のＰＵＳＣＨ内のＵＣＩおよびＲＳをＵＥ１８２０から受信する。
【０１３０】
ステップＳＴ１０４において、ＢＳ１８１０は、デマッピング規則に従って、ＰＲＢ内のそれらのそれぞれのＲＥからＵＣＩおよびＲＳをデマッピングする。デマッピング規則は、ＵＣＩが、ＰＲＢにおいて、１つまたは複数の利用可能なＲＥに、時間領域、周波数領域および空間領域のうちの１つまたは複数における、それらのＲＥと、ＲＳがマッピングされているＲＥとの間の距離に従ってマッピングされていることを示す。すなわち、デマッピング規則は、ＵＥ側でＵＣＩおよびＲＳがアップリンク物理リソースにどのようにマッピングされているかをＢＳ１８１０に伝達する。上述したように、ＢＳ１８１０は、図１３に示すＢＳ１３００のように回路１３２０を含むことができ、ステップＳＴ１０４は、回路１３２０によって実施することができる。
【０１３１】
図１８には示されていないが、ＰＵＳＣＨデータのマッピングおよびデマッピングは明らかに、それぞれＵＥ１８２０およびＢＳ１８２０において実施されることに留意されたい。ＰＵＳＣＨデータのマッピングおよびデマッピングは、当業者のよく知るところであり、本開示の発明の要点と混同されることを回避するために、その詳細は本明細書では論じない。
【０１３２】
さらに、上述したように、ＵＥ１８２０において採用されるＵＣＩをマッピングする規則は、前もって固定することができる、すなわち、ＢＳ１８１０とＵＥ１８２０の両方に事前に分かっている。代替的に、ＵＥ１８２０において採用されるＵＣＩをマッピングする規則は、基地局によって半静的もしくは動的に設定することができる。この場合、図１８には示されていないが、ＢＳ１８１０は、ＵＥ１８２０に、明示的なまたは黙示的なシグナリングによって、ＵＣＩをマッピングする規則を通知することができる。
【０１３３】
本開示のさらなる実施形態において、図１９に示すようなユーザ機器のためのワイヤレス通信方法が提供される。図１９は、本開示の一実施形態によるユーザ機器のためのワイヤレス通信方法１９００のフローチャートを示す。例えば、ワイヤレス通信方法１９００は、図３、図１４、図１５に示すようなユーザ機器３００／１４００／１５００に適用することができる。
【０１３４】
図１９に示すように、ワイヤレス通信方法１９００はステップＳ１９０１において開始し、物理アップリンク共有チャネル（ＰＵＳＣＨ）の物理リソースブロック（ＰＲＢ）において、アップリンク制御情報（ＵＣＩ）が、１つまたは複数の利用可能なリソースエレメントに、時間領域、周波数領域および空間領域のうちの１つまたは複数における、それらのリソースエレメントと、参照信号がマッピングされるリソースエレメントとの間の距離に従ってマッピングされる。次いで、ステップＳ１９０２において、ＵＣＩおよび参照信号が、ＰＲＢ上のＰＵＳＣＨ内で、基地局に送信される。ステップＳ１９０２において、ワイヤレス通信方法１９００は終了する。
【０１３５】
ワイヤレス通信方法１９００を用いて、時間領域、周波数領域および空間領域のうちの１つまたは複数における、これらのＲＥと、ＲＳがマッピングされるＲＥとの間の距離に従って、ＵＣＩをＲＥにマッピングすることによって、ＮＲにおいてＲＳ衝突を回避することができ、システム性能を改善することができる。
【０１３６】
上述したようなユーザ機器３００の他の技術的特徴を、ワイヤレス通信方法１９００にも組み込むことができ、冗長になるのを避けるためにここでは説明しないことに留意されたい。
【０１３７】
本開示のさらなる実施形態において、図２０に示すような基地局のためのワイヤレス通信方法が提供される。図２０は、本開示の一実施形態による基地局のためのワイヤレス通信方法２０００のフローチャートを示す。例えば、ワイヤレス通信方法２０００は、図１３、図１６、図１７に示すような基地局１３００／１６００／１７００に適用することができる。
【０１３８】
図２０に示すように、ワイヤレス通信方法２０００はステップＳ２００１において開始し、物理アップリンク共有チャネル（ＰＵＳＣＨ）の物理リソースブロック（ＰＲＢ）上のＰＵＳＣＨ内のアップリンク制御情報（ＵＣＩ）および参照信号が、ユーザ機器から受信される。次いで、ステップＳ２００２において、ＵＣＩが、ＰＲＢにおいて、１つまたは複数の利用可能なリソースエレメントに、時間領域、周波数領域および空間領域のうちの１つまたは複数における、それらのリソースエレメントと、参照信号がマッピングされているリソースエレメントとの間の距離に従ってマッピングされていることを示すデマッピング規則に従って、ＵＣＩおよび参照信号が、ＰＲＢ内のそれぞれのリソースエレメントからデマッピングされる。ステップＳ２００２の後、ワイヤレス通信方法２０００は終了する。
【０１３９】
ワイヤレス通信方法２０００を用いて、時間領域、周波数領域および空間領域のうちの１つまたは複数における、これらのＲＥと、ＲＳがマッピングされるＲＥとの間の距離に従って、ＵＣＩをＲＥにマッピングすることによって、ＮＲにおいてＲＳ衝突を回避することができ、システム性能を改善することができる。
【０１４０】
上述したような基地局１３００の他の技術的特徴を、ワイヤレス通信方法２０００にも組み込むことができ、冗長になるのを避けるためにここでは説明しないことに留意されたい。
【０１４１】
本開示は、ソフトウェア、ハードウェア、またはハードウェアと協働するソフトウェアによって実現することができる。上述した各実施形態の記述において使用されている各機能ブロックは、ＬＳＩによって集積回路として実現することができ、各実施形態において記述されている各プロセスは、ＬＳＩによって制御することができる。それらは、チップとして個々に形成されてもよく、または、１つのチップが、それら機能ブロックの一部分またはすべてを含むように形成されてもよい。それらは、それらに結合されているデータ入力および出力を含むことができる。本明細書において、ＬＳＩは、集積度の差に応じて、ＩＣ、システムＬＳＩ、スーバーＬＳＩ、またはウルトラＬＳＩとして参照されてもよい。しかしながら、集積回路を実装する技法は、ＬＳＩに限定されず、専用回路または汎用プロセッサを使用することによって実現されてもよい。加えて、ＬＳＩの製造後にプログラムすることができるＦＰＧＡ（フィールドプログラマブルゲートアレイ）、または、ＬＳＩの内部に配置される回路セルの接続および設定を再構成することができる再構成可能プロセッサが使用されてもよい。
【０１４２】
本開示は、本開示の内容および範囲から逸脱することなく、本明細書において提示されている説明および既知の技術に基づいて、当業者によって様々に変更または修正されることを意図しており、そのような変更および適用は保護のために特許請求されている範囲内に入ることに留意されたい。さらに、本開示の内容から逸脱しない範囲において、上述した実施形態の構成要素は、任意に組み合わせることができる。
【０１４３】
本開示の実施形態は、少なくとも以下の主題を提供することができる。
【０１４４】
（１）．ユーザ機器であって、
物理アップリンク共有チャネル（ＰＵＳＣＨ）の物理リソースブロック（ＰＲＢ）において、アップリンク制御情報（ＵＣＩ）を１つまたは複数の利用可能なリソースエレメントに、時間領域、周波数領域および空間領域のうちの１つまたは複数における、リソースエレメントと、参照信号がマッピングされるリソースエレメントとの間の距離に従ってマッピングするように動作可能である回路と、
ＰＲＢ上のＰＵＳＣＨ内のＵＣＩおよび参照信号を基地局に送信するように動作可能である送信機と
を備える、ユーザ機器。
【０１４５】
（２）．回路は、時間領域、周波数領域および空間領域のうちの１つまたは複数において、参照信号がマッピングされるリソースエレメントとの距離が最短である１つまたは複数の利用可能なリソースエレメントに、ＵＣＩをマッピングするようにさらに動作可能である、（１）に記載のユーザ機器。
【０１４６】
（３）．参照信号は、復調参照信号（ＤＭＲＳ）および位相追跡参照信号（ＰＴ−ＲＳ）を含み、ＵＣＩは、複数レイヤ送信の場合は、ＰＴ−ＲＳを送信するレイヤにおいてのみマッピングされる、（１）に記載のユーザ機器。
【０１４７】
（４）．ＵＣＩはＰＴ−ＲＳを有するＰＲＢ内でのみマッピングされる、（３）に記載のユーザ機器。
【０１４８】
（５）．サイクリックプレフィックス直交分割周波数多重化（ＣＰ−ＯＦＤＭ）、または、ＰＴ−ＲＳがプレＤＦＴである離散フーリエ変換拡散直交分割周波数多重化（ＤＦＴ−Ｓ−ＯＦＤＭ）がＰＵＳＣＨにおいて利用される、（３）または（４）に記載のユーザ機器。
【０１４９】
（６）．参照信号は復調参照信号（ＤＭＲＳ）を含み、ＵＣＩは、ＤＭＲＳと同じサブキャリアにマッピングされる、（１）に記載のユーザ機器。
【０１５０】
（７）．ＵＣＩのマッピングは、参照信号のパターンによって変化する、（１）に記載のユーザ機器。
【０１５１】
（８）．ＵＣＩは複数のタイプのＵＣＩを含み、複数のタイプのＵＣＩにそれぞれ優先度が割り当てられ、
あるタイプのＵＣＩに割り当てられる優先度が高いほど、そのタイプのＵＣＩがマッピングされる、１つまたは複数の利用可能なリソースエレメントと、参照信号がマッピングされるリソースエレメントとの間の距離が短くなる、（１）に記載のユーザ機器。
【０１５２】
（９）．複数のタイプのＵＣＩのすべてが同じサブキャリアにマッピングされ、
あるタイプのＵＣＩに割り当てられる優先度が高いほど、時間領域における、そのタイプのＵＣＩがマッピングされる、１つまたは複数の利用可能なリソースエレメントと、参照信号がマッピングされるリソースエレメントとの間の距離が短くなる、（８）に記載のユーザ機器。
【０１５３】
（１０）．あるタイプのＵＣＩに割り当てられる優先度が高いほど、周波数領域と時間領域の両方における、そのタイプのＵＣＩがマッピングされる、１つまたは複数の利用可能なリソースエレメントと、参照信号がマッピングされるリソースエレメントとの間の距離が短くなる、（８）に記載のユーザ機器。
【０１５４】
（１１）．複数のタイプのＵＣＩは、ハイブリッド自動再送要求−送達確認（ＨＡＲＱ−ＡＣＫ）、ランク指標（ＲＩ）、ビーム管理／回復およびチャネル状態情報（ＣＳＩ）を含み、複数のタイプのＵＣＩにはそれぞれ、優先順位の降順に優先度が割り当てられる、（８）〜（１０）のいずれか一項に記載のユーザ機器。
【０１５５】
（１２）．参照信号は、前方復調参照信号（ＤＭＲＳ）および追加のＤＭＲＳを含み、前方ＤＭＲＳに合わせたＵＣＩのマッピングは、追加のＤＭＲＳに合わせたＵＣＩのマッピングと同じであるかまたは異なる、（１）に記載のユーザ機器。
【０１５６】
（１３）．周波数領域において、ＵＣＩは、ＰＵＳＣＨのＰＲＢにわたって均等に分散され、または、ＰＵＳＣＨのＰＲＢの上部および底部に集中化される、（１）に記載のユーザ機器。
【０１５７】
（１４）．基地局であって、
物理アップリンク共有チャネル（ＰＵＳＣＨ）の物理リソースブロック（ＰＲＢ）上のＰＵＳＣＨ内のアップリンク制御情報（ＵＣＩ）および参照信号を、ユーザ機器から受信するように動作可能である受信機と、
時間領域、周波数領域および空間領域のうちの１つまたは複数における、リソースエレメントと、参照信号がマッピングされているリソースエレメントとの間の距離に従ってＵＣＩがＰＲＢにおいて１つまたは複数の利用可能なリソースエレメントにマッピングされていることを示すデマッピング規則に従って、ＵＣＩおよび参照信号を、ＰＲＢ内のそれぞれのリソースエレメントからデマッピングするように動作可能である回路と
を備える、基地局。
【０１５８】
（１５）．デマッピング規則は、時間領域、周波数領域および空間領域のうちの１つまたは複数において、参照信号がマッピングされるリソースエレメントとの距離が最短である１つまたは複数の利用可能なリソースエレメントに、ＵＣＩがマッピングされていることをさらに示す、（１４）に記載の基地局。
【０１５９】
（１６）．参照信号は、復調参照信号（ＤＭＲＳ）および位相追跡参照信号（ＰＴ−ＲＳ）を含み、デマッピング規則は、ＵＣＩが、複数レイヤ送信の場合は、ＰＴ−ＲＳを送信するレイヤにおいてのみマッピングされていることをさらに示す、（１４）に記載の基地局。
【０１６０】
（１７）．デマッピング規則は、ＵＣＩが、ＰＴ−ＲＳを有するＰＲＢにおいてのみマッピングされていることをさらに示す、（１６）に記載の基地局。
【０１６１】
（１８）．サイクリックプレフィックス直交分割周波数多重化（ＣＰ−ＯＦＤＭ）、または、ＰＴ−ＲＳがプレＤＦＴである離散フーリエ変換拡散直交分割周波数多重化（ＤＦＴ−Ｓ−ＯＦＤＭ）がＰＵＳＣＨにおいて利用される、（１６）または（１７）に記載の基地局。
【０１６２】
（１９）．参照信号は復調参照信号（ＤＭＲＳ）を含み、デマッピング規則は、ＵＣＩが、ＤＭＲＳと同じサブキャリアにマッピングされていることをさらに示す、（１４）に記載の基地局。
【０１６３】
（２０）．ＵＣＩのマッピングは、参照信号のパターンによって変化する、（１４）に記載の基地局。
【０１６４】
（２１）．ＵＣＩは複数のタイプのＵＣＩを含み、複数のタイプのＵＣＩにそれぞれ優先度が割り当てられ、
あるタイプのＵＣＩに割り当てられる優先度が高いほど、そのタイプのＵＣＩがマッピングされる、１つまたは複数の利用可能なリソースエレメントと、参照信号がマッピングされるリソースエレメントとの間の距離が短くなる、（１４）に記載の基地局。
【０１６５】
（２２）．デマッピング規則は、複数のタイプのＵＣＩのすべてが同じサブキャリアにマッピングされていること、および、あるタイプのＵＣＩに割り当てられる優先度が高いほど、時間領域における、そのタイプのＵＣＩがマッピングされる、１つまたは複数の利用可能なリソースエレメントと、参照信号がマッピングされるリソースエレメントとの間の距離が短くなることをさらに示す、（２１）に記載の基地局。
【０１６６】
（２３）．デマッピング規則は、あるタイプのＵＣＩに割り当てられる優先度が高いほど、周波数領域と時間領域の両方における、そのタイプのＵＣＩがマッピングされる、１つまたは複数の利用可能なリソースエレメントと、参照信号がマッピングされるリソースエレメントとの間の距離が短くなることをさらに示す、（２１）に記載の基地局。
【０１６７】
（２４）．複数のタイプのＵＣＩは、ハイブリッド自動再送要求−送達確認（ＨＡＲＱ−ＡＣＫ）、ランク指標（ＲＩ）、ビーム管理／回復およびチャネル状態情報（ＣＳＩ）を含み、複数のタイプのＵＣＩにはそれぞれ、優先順位の降順に優先度が割り当てられる、（２１）〜（２３）のいずれか一項に記載の基地局。
【０１６８】
（２５）．参照信号は、前方復調参照信号（ＤＭＲＳ）および追加のＤＭＲＳを含み、前方ＤＭＲＳに合わせたＵＣＩのマッピングは、追加のＤＭＲＳに合わせたＵＣＩのマッピングと同じであるかまたは異なる、（１４）に記載の基地局。
【０１６９】
（２６）．周波数領域において、ＵＣＩは、ＰＵＳＣＨのＰＲＢにわたって均等に分散され、または、ＰＵＳＣＨのＰＲＢの上部および底部に集中化される、（１４）に記載の基地局。
【０１７０】
（２７）．ユーザ機器のためのワイヤレス通信方法であって、
物理アップリンク共有チャネル（ＰＵＳＣＨ）の物理リソースブロック（ＰＲＢ）において、アップリンク制御情報（ＵＣＩ）を１つまたは複数の利用可能なリソースエレメントに、時間領域、周波数領域および空間領域のうちの１つまたは複数における、リソースエレメントと、参照信号がマッピングされるリソースエレメントとの間の距離に従ってマッピングすることと、
ＰＲＢ上のＰＵＳＣＨ内のＵＣＩおよび参照信号を基地局に送信することと
を含む、方法。
【０１７１】
（２８）．物理アップリンク共有チャネル（ＰＵＳＣＨ）の物理リソースブロック（ＰＲＢ）において、アップリンク制御情報（ＵＣＩ）を１つまたは複数の利用可能なリソースエレメントに、時間領域、周波数領域および空間領域のうちの１つまたは複数における、リソースエレメントと、参照信号がマッピングされるリソースエレメントとの間の距離に従ってマッピングすることは、
時間領域、周波数領域および空間領域のうちの１つまたは複数において、参照信号がマッピングされるリソースエレメントとの距離が最短である１つまたは複数の利用可能なリソースエレメントに、ＵＣＩをマッピングすることを含む、（２７）に記載のワイヤレス通信方法。
【０１７２】
（２９）．参照信号は、復調参照信号（ＤＭＲＳ）および位相追跡参照信号（ＰＴ−ＲＳ）を含み、ＵＣＩは、複数レイヤ送信の場合は、ＰＴ−ＲＳを送信するレイヤにおいてのみマッピングされる、（２７）に記載のワイヤレス通信方法。
【０１７３】
（３０）．ＵＣＩはＰＴ−ＲＳを有するＰＲＢ内でのみマッピングされる、（２９）に記載のワイヤレス通信方法。
【０１７４】
（３１）．サイクリックプレフィックス直交分割周波数多重化（ＣＰ−ＯＦＤＭ）、または、ＰＴ−ＲＳがプレＤＦＴである離散フーリエ変換拡散直交分割周波数多重化（ＤＦＴ−Ｓ−ＯＦＤＭ）がＰＵＳＣＨにおいて利用される、（２９）または（３０）に記載のワイヤレス通信方法。
【０１７５】
（３２）．参照信号は復調参照信号（ＤＭＲＳ）を含み、ＵＣＩは、ＤＭＲＳと同じサブキャリアにマッピングされる、（２７）に記載のワイヤレス通信方法。
【０１７６】
（３３）．ＵＣＩのマッピングは、参照信号のパターンによって変化する、（２７）に記載のワイヤレス通信方法。
【０１７７】
（３４）．ＵＣＩは複数のタイプのＵＣＩを含み、複数のタイプのＵＣＩにそれぞれ優先度が割り当てられ、
あるタイプのＵＣＩに割り当てられる優先度が高いほど、そのタイプのＵＣＩがマッピングされる、１つまたは複数の利用可能なリソースエレメントと、参照信号がマッピングされるリソースエレメントとの間の距離が短くなる、（２７）に記載のワイヤレス通信方法。
【０１７８】
（３５）．複数のタイプのＵＣＩのすべてが同じサブキャリアにマッピングされ、
あるタイプのＵＣＩに割り当てられる優先度が高いほど、時間領域における、そのタイプのＵＣＩがマッピングされる、１つまたは複数の利用可能なリソースエレメントと、参照信号がマッピングされるリソースエレメントとの間の距離が短くなる、（３４）に記載のワイヤレス通信方法。
【０１７９】
（３６）．あるタイプのＵＣＩに割り当てられる優先度が高いほど、周波数領域と時間領域の両方における、そのタイプのＵＣＩがマッピングされる、１つまたは複数の利用可能なリソースエレメントと、参照信号がマッピングされるリソースエレメントとの間の距離が短くなる、（３４）に記載のワイヤレス通信方法。
【０１８０】
（３７）．複数のタイプのＵＣＩは、ハイブリッド自動再送要求−送達確認（ＨＡＲＱ−ＡＣＫ）、ランク指標（ＲＩ）、ビーム管理／回復およびチャネル状態情報（ＣＳＩ）を含み、複数のタイプのＵＣＩにはそれぞれ、優先順位の降順に優先度が割り当てられる、（３４）〜（３６）のいずれか一項に記載のワイヤレス通信方法。
【０１８１】
（３８）．参照信号は、前方復調参照信号（ＤＭＲＳ）および追加のＤＭＲＳを含み、前方ＤＭＲＳに合わせたＵＣＩのマッピングは、追加のＤＭＲＳに合わせたＵＣＩのマッピングと同じであるかまたは異なる、（２７）に記載のワイヤレス通信方法。
【０１８２】
（３９）．周波数領域において、ＵＣＩは、ＰＵＳＣＨのＰＲＢにわたって均等に分散され、または、ＰＵＳＣＨのＰＲＢの上部および底部に集中化される、（２７）に記載のワイヤレス通信方法。
【０１８３】
（４０）．基地局のためのワイヤレス通信方法であって、
物理アップリンク共有チャネル（ＰＵＳＣＨ）の物理リソースブロック（ＰＲＢ）上のＰＵＳＣＨ内のアップリンク制御情報（ＵＣＩ）および参照信号を、ユーザ機器から受信することと、
時間領域、周波数領域および空間領域のうちの１つまたは複数における、リソースエレメントと、参照信号がマッピングされているリソースエレメントとの間の距離に従ってＵＣＩがＰＲＢにおいて１つまたは複数の利用可能なリソースエレメントにマッピングされていることを示すデマッピング規則に従って、ＵＣＩおよび参照信号を、ＰＲＢ内のそれぞれのリソースエレメントからデマッピングすることと
を含む、基地局のためのワイヤレス通信方法。
【０１８４】
（４１）．デマッピング規則は、時間領域、周波数領域および空間領域のうちの１つまたは複数において、参照信号がマッピングされるリソースエレメントとの距離が最短である１つまたは複数の利用可能なリソースエレメントに、ＵＣＩがマッピングされていることをさらに示す、（４０）に記載のワイヤレス通信方法。
【０１８５】
（４２）．参照信号は、復調参照信号（ＤＭＲＳ）および位相追跡参照信号（ＰＴ−ＲＳ）を含み、デマッピング規則は、ＵＣＩが、複数レイヤ送信の場合は、ＰＴ−ＲＳを送信するレイヤにおいてのみマッピングされていることをさらに示す、（４０）に記載のワイヤレス通信方法。
【０１８６】
（４３）．デマッピング規則は、ＵＣＩが、ＰＴ−ＲＳを有するＰＲＢにおいてのみマッピングされていることをさらに示す、（４２）に記載のワイヤレス通信方法。
【０１８７】
（４４）．サイクリックプレフィックス直交分割周波数多重化（ＣＰ−ＯＦＤＭ）、または、ＰＴ−ＲＳがプレＤＦＴである離散フーリエ変換拡散直交分割周波数多重化（ＤＦＴ−Ｓ−ＯＦＤＭ）がＰＵＳＣＨにおいて利用される、（４２）または（４３）に記載のワイヤレス通信方法。
【０１８８】
（４５）．参照信号は復調参照信号（ＤＭＲＳ）を含み、デマッピング規則は、ＵＣＩが、ＤＭＲＳと同じサブキャリアにマッピングされていることをさらに示す、（４０）に記載のワイヤレス通信方法。
【０１８９】
（４６）．ＵＣＩのマッピングは、参照信号のパターンによって変化する、（４０）に記載のワイヤレス通信方法。
【０１９０】
（４７）．ＵＣＩは複数のタイプのＵＣＩを含み、複数のタイプのＵＣＩにそれぞれ優先度が割り当てられ、
あるタイプのＵＣＩに割り当てられる優先度が高いほど、そのタイプのＵＣＩがマッピングされる、１つまたは複数の利用可能なリソースエレメントと、参照信号がマッピングされるリソースエレメントとの間の距離が短くなる、（４０）に記載のワイヤレス通信方法。
【０１９１】
（４８）．デマッピング規則は、複数のタイプのＵＣＩのすべてが同じサブキャリアにマッピングされていること、および、あるタイプのＵＣＩに割り当てられる優先度が高いほど、時間領域における、そのタイプのＵＣＩがマッピングされる、１つまたは複数の利用可能なリソースエレメントと、参照信号がマッピングされるリソースエレメントとの間の距離が短くなることをさらに示す、（４７）に記載のワイヤレス通信方法。
【０１９２】
（４９）．デマッピング規則は、あるタイプのＵＣＩに割り当てられる優先度が高いほど、周波数領域と時間領域の両方における、そのタイプのＵＣＩがマッピングされる、１つまたは複数の利用可能なリソースエレメントと、参照信号がマッピングされるリソースエレメントとの間の距離が短くなることをさらに示す、（４７）に記載のワイヤレス通信方法。
【０１９３】
（５０）．複数のタイプのＵＣＩは、ハイブリッド自動再送要求−送達確認（ＨＡＲＱ−ＡＣＫ）、ランク指標（ＲＩ）、ビーム管理／回復およびチャネル状態情報（ＣＳＩ）を含み、複数のタイプのＵＣＩにはそれぞれ、優先順位の降順に優先度が割り当てられる、（４７）〜（４９）のいずれか一項に記載のワイヤレス通信方法。
【０１９４】
（５１）．参照信号は、前方復調参照信号（ＤＭＲＳ）および追加のＤＭＲＳを含み、前方ＤＭＲＳに合わせたＵＣＩのマッピングは、追加のＤＭＲＳに合わせたＵＣＩのマッピングと同じであるかまたは異なる、（４０）に記載のワイヤレス通信方法。
【０１９５】
（５２）．周波数領域において、ＵＣＩは、ＰＵＳＣＨのＰＲＢにわたって均等に分散され、または、ＰＵＳＣＨのＰＲＢの上部および底部に集中化される、（４０）に記載のワイヤレス通信方法。
【図１】
2020529755.tif 000003
【図２（Ａ）】
2020529755.tif 000004
【図２（Ｂ）】
2020529755.tif 000005
【図３】
2020529755.tif 000006
【図４（Ａ）】
2020529755.tif 000007
【図４（Ｂ）】
2020529755.tif 000008
【図４（Ｃ）】
2020529755.tif 000009
【図５】
2020529755.tif 000010
【図６】
2020529755.tif 000011
【図７】
2020529755.tif 000012
【図８】
2020529755.tif 000013
【図９】
2020529755.tif 000014
【図１０】
2020529755.tif 000015
【図１１】
2020529755.tif 000016
【図１２】
2020529755.tif 000017
【図１３】
2020529755.tif 000018
【図１４】
2020529755.tif 000019
【図１５】
2020529755.tif 000020
【図１６】
2020529755.tif 000021
【図１７】
2020529755.tif 000022
【図１８】
2020529755.tif 000023
【図１９】
2020529755.tif 000024
【図２０】
2020529755.tif 000025
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
復調用参照信号が配置されたOrthogonal Frequency Division Multiplexing (OFDM)シンボルに隣接する少なくとも１つのOFDMシンボルに、Hybrid Automatic Repeat request-Acknowledgement (HARQ-ACK)ビットを配置する制御回路と、
前記HARQ-ACKビット及び前記復調用参照信号を送信する送信機と、
を具備し、
前記HARQ-ACKビットの配置位置は、前記復調用参照信号のパターンに応じて異なる、
通信装置。
【請求項２】
前記復調用参照信号が１つ又は１つ以上の連続するシンボルに配置される場合には前記HARQ-ACKビットが連続するOFDMシンボルに配置され、前記復調用参照信号が非連続である２つ以上のOFDMシンボルに配置される場合には前記HARQ-ACKビットが非連続である２つ以上のOFDMシンボルに配置される、
請求項１に記載の通信装置。
【請求項３】
前記復調用参照信号が非連続である２つのOFDMシンボルに配置される場合、前記非連続である２つのOFDMシンボルの一方の周辺に配置される前記HARQ-ACKビットの配置は、前記非連続である２つのOFDMシンボルの他方の周辺に配置される前記HARQ-ACKビットの配置と同じである、
請求項１に記載の通信装置。
【請求項４】
前記復調用参照信号が連続する２つのOFDMシンボルに配置され、前記連続する２つのOFDMシンボルの後半のOFDMシンボルに隣接する少なくとも１つのOFDMシンボルに前記HARQ-ACKビットが配置され、前記連続する２つのOFDMシンボルの前半のOFDMシンボルに隣接するOFDMシンボルに前記HARQ-ACKビットが配置されない、
請求項１に記載の通信装置。
【請求項５】
前記HARQ-ACKビットは、Phase Tracking-Reference Signal (PT-RS)が配置されるリソースエレメントに配置されない、
請求項１に記載の通信装置。
【請求項６】
Cyclic Prefix-Orthogonal Frequency Division Multiplexing (CP-OFDM)において、前記HARQ-ACKビットと前記復調用参照信号は周波数領域で多重されない、
請求項１に記載の通信装置。
【請求項７】
Channel State Information (CSI)ビットが前記HARQ-ACKビットの後ろに配置される、  請求項１に記載の通信装置。
【請求項８】
前記HARQ-ACKビットは、割り当てられたリソースブロック内に分散的に配置される、
請求項１に記載の通信装置。
【請求項９】
前記OFDMシンボルは、Discrete Fourier Transform-spread-OFDM (DFT-S-OFDM)シンボルである、
請求項１に記載の通信装置。
【請求項１０】
前記OFDMシンボルは、Cyclic Prefix-OFDM (CP-OFDM)シンボルである、
請求項１に記載の通信装置。
【請求項１１】
復調用参照信号が配置されたOrthogonal Frequency Division Multiplexing (OFDM)シンボルに隣接する少なくとも１つのOFDMシンボルに、Hybrid Automatic Repeat request-Acknowledgement (HARQ-ACK)ビットを配置し、
前記HARQ-ACKビット及び前記復調用参照信号を送信し、
前記HARQ-ACKビットの配置位置は、前記復調用参照信号のパターンに応じて異なる、
通信方法。
【請求項１２】
前記復調用参照信号が１つ又は１つ以上の連続するシンボルに配置される場合には前記HARQ-ACKビットが連続するOFDMシンボルに配置され、前記復調用参照信号が非連続である２つ以上のOFDMシンボルに配置される場合には前記HARQ-ACKビットが非連続である２つ以上のOFDMシンボルに配置される、
請求項１１に記載の通信方法。
【請求項１３】
前記復調用参照信号が非連続である２つのOFDMシンボルに配置される場合、前記非連続である２つのOFDMシンボルの一方の周辺に配置される前記HARQ-ACKビットの配置は、前記非連続である２つのOFDMシンボルの他方の周辺に配置される前記HARQ-ACKビットの配置と同じである、
請求項１１に記載の通信方法。
【請求項１４】
前記復調用参照信号が連続する２つのOFDMシンボルに配置され、前記連続する２つのOFDMシンボルの後半のOFDMシンボルに隣接する少なくとも１つのOFDMシンボルに前記HARQ-ACKビットが配置され、前記連続する２つのOFDMシンボルの前半のOFDMシンボルに隣接するOFDMシンボルに前記HARQ-ACKビットが配置されない、
請求項１１に記載の通信方法。
【請求項１５】
前記HARQ-ACKビットは、Phase Tracking-Reference Signal (PT-RS)が配置されるリソースエレメントに配置されない、
請求項１１に記載の通信方法。
【請求項１６】
Cyclic Prefix-Orthogonal Frequency Division Multiplexing (CP-OFDM)において、前記HARQ-ACKビットと前記復調用参照信号は周波数領域で多重されない、
請求項１１に記載の通信方法。
【請求項１７】
Channel State Information (CSI)ビットが前記HARQ-ACKビットの後ろに配置される、  請求項１１に記載の通信方法。
【請求項１８】
前記HARQ-ACKビットは、割り当てられたリソースブロック内に分散的に配置される、
請求項１１に記載の通信方法。
【請求項１９】
前記OFDMシンボルは、Discrete Fourier Transform-spread-OFDM (DFT-S-OFDM)シンボルである、
請求項１１に記載の通信方法。
【請求項２０】
前記OFDMシンボルは、Cyclic Prefix-OFDM (CP-OFDM)シンボルである、
請求項１１に記載の通信方法。
【請求項２１】
復調用参照信号が配置されたOrthogonal Frequency Division Multiplexing (OFDM)シンボルに隣接する少なくとも１つのOFDMシンボルに、Hybrid Automatic Repeat request-Acknowledgement (HARQ-ACK)ビットを配置する処理と、
前記HARQ-ACKビット及び前記復調用参照信号を送信する処理と、
を制御し、
前記HARQ-ACKビットの配置位置は、前記復調用参照信号のパターンに応じて異なる、
集積回路。
【手続補正３】
【補正対象書類名】明細書
【補正対象項目名】０００１
【補正方法】変更
【補正の内容】
【０００１】
本開示は、ワイヤレス通信の分野に関し、より詳細には、ＮＲ（Ｎｅｗ  Ｒａｄｉｏアクセス技術）における物理アップリンクリソース内のアップリンク制御情報マッピングに関係する、通信装置および通信方法に関する。
【国際調査報告】
2020529755.tif 000026
2020529755.tif 000027